(57)【要約】【課題】勤務者の朝食にかかる金銭的な負担を軽減するができ、勤務者が負担なく朝食を食すことができる朝食金額管理システムを提供する。【解決手段】スマートフォン１１Ａは、所定の店舗において勤務者が朝食を購入した後または朝食を食した後に店舗のキャッシュレジスターから発行された朝食食品および朝食食品の金額を含むレシートを撮影し、撮影されたレシートのレシート画像をインターネット１３を介して管理サーバ１４Ａに送信する。管理サーバ１４Ａは、スマートフォン１１Ａから送信されたレシート画像に含まれる朝食食品と事前に設定されたキャッシュバック朝食食品とを比較し、レシート画像の朝食食品の中にキャッシュバック朝食食品が含まれる場合、キャッシュバック朝食食品に該当する朝食食品および朝食食品のキャッシュバック金額を各スマートフォン毎に区分しつつ各法人毎に区分して記憶するとともに、キャッシュバック朝食食品およびキャッシュバック朝食食品のキャッシュバック金額を各法人の法人サーバ１４Ｂに送信する。【選択図】図１
2020013322.tif 000002
【特許請求の範囲】
【請求項１】
所定の法人に勤務する特定多数の勤務者が所持する多機能携帯端末と、前記多機能携帯端末がネットワークを介して接続可能であって所定の店舗において前記勤務者が購入した朝食または該勤務者が食した朝食のキャッシュバック金額を管理する管理サーバと、前記管理サーバに前記ネットワークを介して接続可能であって前記各法人の業務に使用する法人サーバとから形成され、
前記多機能携帯端末が、所定の店舗において前記勤務者が朝食を購入した後または該勤務者が朝食を食した後にその店舗のキャッシュレジスターから発行された朝食食品および該朝食食品の金額を含むレシートを撮影するレシート撮影手段と、前記レシート撮影手段によって撮影された前記レシートのレシート画像を前記ネットワークを介して前記管理サーバに送信するレシート画像送信手段とを有し、
前記レシート画像送信手段によって前記多機能携帯端末から送信されたレシート画像に含まれる前記朝食食品と前記勤務者にキャッシュバックするとして事前に設定されたキャッシュバック朝食食品とを比較した結果、前記朝食食品の中に前記キャッシュバック朝食食品が含まれる場合、前記管理サーバが、前記キャッシュバック朝食食品に該当する前記朝食食品および該朝食食品のキャッシュバック金額を各多機能携帯端末毎に区分しつつ各法人毎に区分して記憶するキャッシュバック朝食食品記憶手段と、前記朝食食品記憶手段によって記憶した前記朝食食品および該朝食食品のキャッシュバック金額を各法人の前記法人サーバに送信するキャッシュバック朝食食品送信手段とを有することを特徴とする朝食金額管理システム。
【請求項２】
前記管理サーバが、前記レシート画像送信手段によって前記多機能携帯端末から送信されたレシート画像に含まれる前記朝食食品と前記勤務者にキャッシュバックするとして事前に設定されたキャッシュバック朝食食品とを比較するキャッシュバック朝食食品比較手段を含み、前記キャッシュバック朝食食品記憶手段が、前記朝食食品比較手段によって前記レシート画像の朝食食品と前記キャッシュバック朝食食品とを比較した結果、前記朝食食品の中に前記キャッシュバック朝食食品が含まれる場合、前記キャッシュバック朝食食品に該当する前記朝食食品および該朝食食品のキャッシュバック金額を各多機能携帯端末毎に区分しつつ各法人毎に区分して記憶する請求項１に記載の朝食金額管理システム。
【請求項３】
所定の法人に勤務する特定多数の勤務者が所持する多機能携帯端末と、前記多機能携帯端末がネットワークを介して接続可能であって所定の店舗において前記勤務者が購入した朝食または該勤務者が食した朝食のキャッシュバック金額を管理する管理サーバと、前記管理サーバに前記ネットワークを介して接続可能であって前記各法人の業務に使用する法人サーバとから形成され、
前記多機能携帯端末が、所定の店舗において前記勤務者が朝食を購入した後または該勤務者が朝食を食した後にその店舗のキャッシュレジスターから送信された朝食食品および該朝食食品の金額を含む電子レシートを受信する電子レシート受信手段と、前記電子レシート受信手段によって受信した前記電子レシートを前記ネットワークを介して前記管理サーバに送信する電子レシート送信手段とを有し、
前記電子レシート送信手段によって前記多機能携帯端末から送信された電子レシートに含まれる前記朝食食品と前記勤務者にキャッシュバックするとして事前に設定されたキャッシュバック朝食食品とを比較した結果、前記朝食食品の中に前記キャッシュバック朝食食品が含まれる場合、前記管理サーバが、前記キャッシュバック朝食食品に該当する前記朝食食品および該朝食食品のキャッシュバック金額を各多機能携帯端末毎に区分しつつ各法人毎に区分して記憶するキャッシュバック朝食食品記憶手段と、前記朝食食品記憶手段によって記憶した前記朝食食品および該朝食食品のキャッシュバック金額を各法人の法人サーバに送信するキャッシュバック朝食食品送信手段とを有することを特徴とする朝食金額管理システム。
【請求項４】
前記管理サーバが、前記電子レシート送信手段によって前記多機能携帯端末から送信された電子レシートに含まれる前記朝食食品と前記勤務者にキャッシュバックするとして事前に設定されたキャッシュバック朝食食品とを比較するキャッシュバック朝食食品比較手段を含み、前記キャッシュバック朝食食品記憶手段が、前記朝食食品比較手段によって前記朝食食品と前記キャッシュバック朝食食品とを比較した結果、前記朝食食品の中に前記キャッシュバック朝食食品が含まれる場合、前記キャッシュバック朝食食品に該当する前記朝食食品および該朝食食品のキャッシュバック金額を各多機能携帯端末毎に区分しつつ各法人毎に区分して記憶する請求項３に記載の朝食金額管理システム。
【請求項５】
前記管理サーバが、前記勤務者が購入した朝食食品または該勤務者が食した朝食食品のうちの前記キャッシュバック朝食食品に該当する朝食食品および該朝食食品のキャッシュバック金額を前記多機能携帯端末に出力する利用済みキャッシュバック朝食食品出力手段を含む請求項１ないし請求項４いずれかに記載の朝食金額管理システム。
【請求項６】
前記レシート画像または前記電子レシートには、前記勤務者が朝食食品を購入または該朝食食品を食した店舗の店舗名が含まれ、前記キャッシュバック朝食食品記憶手段では、前記キャッシュバック朝食食品に該当する前記朝食食品を購入または該朝食食品を食した店舗の店舗名を記憶し、前記キャッシュバック朝食食品送信手段では、前記キャッシュバック朝食食品に該当する前記朝食食品を購入または該朝食食品を食した店舗の店舗名を法人サーバに送信する請求項１ないし請求項５いずれかに記載の朝食金額管理システム。
【請求項７】
前記管理サーバまたは前記法人サーバが、前記キャッシュバック朝食食品に該当する前記朝食食品の累計キャッシュバック金額を算出する累計キャッシュバック金額算出手段と、前記キャッシュバック朝食食品に該当する前記朝食食品の累計購入数を算出する朝食食品累計購入数算出手段とを含み、前記管理サーバが、前記累計キャッシュバック金額算出手段によって算出した前記朝食食品の累計キャッシュバック金額を前記多機能携帯端末に出力する累計キャッシュバック金額出力手段と、前記朝食食品累計購入数算出手段によって算出した前記朝食食品の累計購入数を前記多機能携帯端末に出力する朝食食品累計購入数出力手段とを含む請求項１ないし請求項６いずれかに記載の朝食金額管理システム。
【請求項８】
前記レシート画像または前記電子レシートには、前記勤務者が朝食食品を購入した購入日時または該朝食食品を食した食事日時が含まれ、前記キャッシュバック朝食食品記憶手段では、前記キャッシュバック朝食食品に該当する前記朝食食品を購入した購入日時または該朝食食品を食した食事日時を記憶し、前記キャッシュバック朝食食品送信手段では、前記キャッシュバック朝食食品に該当する前記朝食食品を購入した購入日時または該朝食食品を食した食事日時を法人サーバに送信する請求項１ないし請求項７いずれかに記載の朝食金額管理システム。
【請求項９】
前記キャッシュバック朝食食品比較手段では、前記レシート画像または前記電子レシートに含まれる前記朝食食品を購入した購入日時または該朝食食品を食した食事日時と前記キャッシュバック朝食食品記憶手段によって記憶した前記キャッシュバック朝食食品に該当する前記朝食食品を購入した購入日時または該朝食食品を食した食事日時とを比較し、前記管理サーバが、前記レシート画像または前記電子レシートに含まれる前記購入日時または前記食事日時と前記朝食食品記憶手段によって記憶した前記購入日時または前記食事日時とを比較した結果、前記レシート画像または前記電子レシートに含まれる前記購入日時または前記食事日時と前記朝食食品記憶手段によって記憶した前記購入日時または前記食事日時とが一致した場合、レシート重複メッセージを前記多機能携帯端末に出力するレシート重複メッセージ出力手段を含む請求項８に記載の朝食金額管理システム。
【請求項１０】
前記キャッシュバック朝食食品比較手段では、前記レシート画像または前記電子レシートに含まれる前記購入日時または前記食事日時と事前に設定された朝食時間とを比較し、前記管理サーバが、前記購入日時または前記食事日時と前記朝食時間とを比較した結果、前記購入日時または前記食事日時が前記朝食時間から外れていた場合、レシート不可メッセージを前記多機能携帯端末に出力するレシート不可メッセージ出力手段を含む請求項９に記載の朝食金額管理システム。
【請求項１１】
前記管理サーバが、前記朝食食品の中に前記キャッシュバック朝食食品が含まれるとともに、前記レシート画像または前記電子レシートに含まれる前記購入日時または前記食事日時と前記キャッシュバック朝食食品記憶手段によって記憶した前記購入日時または前記食事日時とが不一致の場合、レシート受付メッセージを前記多機能携帯端末に出力するレシート受付メッセージ出力手段を含む請求項９または請求項１０に記載の朝食金額管理システム。
【請求項１２】
前記多機能携帯端末が、前記キャッシュバック朝食食品と該キャッシュバック朝食食品のキャッシュバック金額とを検索するキャッシュバック朝食食品検索手段を含み、前記管理サーバが、各種複数の前記キャッシュバック朝食食品とそれらキャッシュバック朝食食品のキャッシュバック金額とを記憶するキャッシュバック対象朝食食品記憶手段と、前記多機能携帯端末が前記キャッシュバック朝食食品検索手段によってキャッシュバック朝食食品と該キャッシュバック朝食食品のキャッシュバック金額とを検索した場合、前記キャッシュバック対象朝食食品記憶手段によって記憶した各種複数の前記キャッシュバック朝食食品とそれらキャッシュバック朝食食品のキャッシュバック金額とを前記多機能携帯端末に出力する検索食品出力手段とを含む請求項１ないし請求項１１いずれかに記載の朝食金額管理システム。
【請求項１３】
前記多機能携帯端末が、前記キャッシュバック朝食食品を購入可能または該キャッシュバック朝食食品を食することが可能な店舗の店舗名を検索する店舗名検索手段を含み、前記管理サーバが、各種複数の前記キャッシュバック朝食食品を購入可能または該キャッシュバック朝食食品を食することが可能な各種複数の店舗の店舗名を記憶する店舗名記憶手段と、前記多機能携帯端末が前記店舗名検索手段によって店舗名を検索した場合、前記店舗名記憶手段によって記憶したキャッシュバック朝食食品を購入可能または該キャッシュバック朝食食品を食することが可能な各種複数の店舗の店舗名を前記多機能携帯端末に出力する検索店舗出力手段とを含む請求項１２に記載の朝食金額管理システム。
【発明の詳細な説明】
【技術分野】
【０００１】
本発明は、所定の法人に勤務する特定多数の勤務者が購入した朝食または勤務者が食した朝食のキャッシュバック金額を管理する朝食金額管理システムに関する。
【背景技術】
【０００２】
必要栄養素データベースと、メニューデータベースと、素材栄養素データベースと、情報管理機とから成る情報提供装置を備え、通信ネットワークを介してユーザ端末装置が情報提供装置に接続可能であり、情報管理機またはユーザ端末装置の少なくとも一方から入力された身体情報および生活習慣情報から、情報管理機が必要栄養素データベースの情報を用いて勤務者の所要栄養量を算出し、所要栄養量から算出された少なくとも一食分の最適な摂取栄養量に合わせて、メニューデータベースおよび素材栄養素データベースを用いて勤務者が選択した食品または食材の種類により、勤務者個人の食事メニューの量を自動的に計算し表示し、一食分が朝食、昼食、夕食から選択可能であり、選択された一食分の分量が少なくとも３段階に選択可能である栄養健康食提供システムが開示されている（特許文献１参照）。
【先行技術文献】
【特許文献】
【０００３】
【特許文献１】特開２００７−５８３０８号公報
【発明の概要】
【発明が解決しようとする課題】
【０００４】
前記特許文献１に開示の栄養健康食提供システムは、手間が掛からずに、最適な栄養バランスを備えた食事を食することができるという効果を有するが、所定法人の勤務者に必要な時間に朝食を食すことを意識付けすることはできず、朝食摂取を促進することができない。朝食を食すことには数々のメリットがあるのみならず、朝食時間を含んだ朝の時間帯を設けることは、頭や体が目覚めるために必要であり、仕事の成果にも影響を与える。したがって、各法人は、その勤務者に朝食を食することを奨励している。しかし、朝食を所定のコンビニエンスストアやドラッグストア等で購入する場合や朝食を所定の店舗で食する場合、朝食の購入や朝食の摂取には所定の金額がかかることから、朝食にかかる金額を浮かせるために勤務者が朝食を抜いて出社する場合がある。
【０００５】
本発明の目的は、法人の勤務者の朝食にかかる金銭的な負担を軽減するができ、法人の勤務者が負担なく朝食を食すことができる朝食金額管理システムを提供することにある。本発明の他の目的は、所定法人の勤務者に必要な時間に朝食を食すことを意識付けすることができ、朝食の摂取を促進することができるとともに、勤務者に朝食を食すことのメリットを享受させることができる朝食金額管理システムを提供することにある。本発明の他の目的は、勤務者を朝型生活に移行させることができ、朝型生活を奨励することで、勤務者が朝から仕事を効率よく処理するように仕向けることができる朝食金額管理システムを提供することにある。
【課題を解決するための手段】
【０００６】
前記課題を解決するための本発明に係る朝食金額管理システムの第１の特徴は、所定の法人に勤務する特定多数の勤務者が所持する多機能携帯端末と、多機能携帯端末がネットワークを介して接続可能であって所定の店舗において勤務者が購入した朝食または勤務者が食した朝食のキャッシュバック金額を管理する管理サーバと、管理サーバにネットワークを介して接続可能であって各法人の業務に使用する法人サーバとから形成され、多機能携帯端末が、所定の店舗において勤務者が朝食を購入した後または勤務者が朝食を食した後にその店舗のキャッシュレジスターから発行された朝食食品および朝食食品の金額を含むレシートを撮影するレシート撮影手段と、レシート撮影手段によって撮影されたレシートのレシート画像をネットワークを介して管理サーバに送信するレシート画像送信手段とを有し、レシート画像送信手段によって多機能携帯端末から送信されたレシート画像に含まれる朝食食品と勤務者にキャッシュバックするとして事前に設定されたキャッシュバック朝食食品とを比較した結果、朝食食品の中にキャッシュバック朝食食品が含まれる場合、管理サーバが、キャッシュバック朝食食品に該当する朝食食品および朝食食品のキャッシュバック金額を各多機能携帯端末毎に区分しつつ各法人毎に区分して記憶するキャッシュバック朝食食品記憶手段と、朝食食品記憶手段によって記憶した朝食食品および朝食食品のキャッシュバック金額を各法人の法人サーバに送信するキャッシュバック朝食食品送信手段とを有することにある。
【０００７】
前記第１の特徴を有する本発明の朝食金額管理システムの一例としては、管理サーバが、レシート画像送信手段によって多機能携帯端末から送信されたレシート画像に含まれる朝食食品と勤務者にキャッシュバックするとして事前に設定されたキャッシュバック朝食食品とを比較するキャッシュバック朝食食品比較手段を含み、キャッシュバック朝食食品記憶手段が、朝食食品比較手段によってレシート画像の朝食食品とキャッシュバック朝食食品とを比較した結果、朝食食品の中にキャッシュバック朝食食品が含まれる場合、キャッシュバック朝食食品に該当する朝食食品および朝食食品のキャッシュバック金額を各多機能携帯端末毎に区分しつつ各法人毎に区分して記憶する。
【０００８】
前記課題を解決するための本発明に係る朝食金額管理システムの第２の特徴は、所定の法人に勤務する特定多数の勤務者が所持する多機能携帯端末と、多機能携帯端末がネットワークを介して接続可能であって所定の店舗において勤務者が購入した朝食または勤務者が食した朝食のキャッシュバック金額を管理する管理サーバと、管理サーバにネットワークを介して接続可能であって各法人の業務に使用する法人サーバとから形成され、多機能携帯端末が、所定の店舗において勤務者が朝食を購入した後または勤務者が朝食を食した後にその店舗のキャッシュレジスターから送信された朝食食品および朝食食品の金額を含む電子レシートを受信する電子レシート受信手段と、電子レシート受信手段によって受信した電子レシートをネットワークを介して管理サーバに送信する電子レシート送信手段とを有し、電子レシート送信手段によって多機能携帯端末から送信された電子レシートに含まれる朝食食品と勤務者にキャッシュバックするとして事前に設定されたキャッシュバック朝食食品とを比較した結果、朝食食品の中にキャッシュバック朝食食品が含まれる場合、管理サーバが、キャッシュバック朝食食品に該当する朝食食品および朝食食品のキャッシュバック金額を各多機能携帯端末毎に区分しつつ各法人毎に区分して記憶するキャッシュバック朝食食品記憶手段と、朝食食品記憶手段によって記憶した朝食食品および朝食食品のキャッシュバック金額を各法人の法人サーバに送信するキャッシュバック朝食食品送信手段とを有することにある。
【０００９】
前記第２の特徴を有する本発明の朝食金額管理システムの一例としては、管理サーバが、電子レシート送信手段によって多機能携帯端末から送信された電子レシートに含まれる朝食食品と勤務者にキャッシュバックするとして事前に設定されたキャッシュバック朝食食品とを比較するキャッシュバック朝食食品比較手段を含み、キャッシュバック朝食食品記憶手段が、朝食食品比較手段によって朝食食品とキャッシュバック朝食食品とを比較した結果、朝食食品の中にキャッシュバック朝食食品が含まれる場合、キャッシュバック朝食食品に該当する朝食食品および朝食食品のキャッシュバック金額を各多機能携帯端末毎に区分しつつ各法人毎に区分して記憶する。
【００１０】
前記第１および第２の特徴を有する本発明の朝食金額管理システムの一例としては、管理サーバが、勤務者が購入した朝食食品または勤務者が食した朝食食品のうちのキャッシュバック朝食食品に該当する朝食食品および朝食食品のキャッシュバック金額を多機能携帯端末に出力する利用済みキャッシュバック朝食食品出力手段を含む。
【００１１】
前記第１および第２の特徴を有する本発明の朝食金額管理システムの他の一例として、レシート画像または前記電子レシートには、勤務者が朝食食品を購入または朝食食品を食した店舗の店舗名が含まれ、キャッシュバック朝食食品記憶手段では、キャッシュバック朝食食品に該当する朝食食品を購入または朝食食品を食した店舗の店舗名を記憶し、キャッシュバック朝食食品送信手段では、キャッシュバック朝食食品に該当する朝食食品を購入または朝食食品を食した店舗の店舗名を法人サーバに送信する。
【００１２】
前記第１および第２の特徴を有する本発明の朝食金額管理システムの他の一例としては、管理サーバまたは法人サーバが、キャッシュバック朝食食品に該当する朝食食品の累計キャッシュバック金額を算出する累計キャッシュバック金額算出手段と、キャッシュバック朝食食品に該当する朝食食品の累計購入数を算出する朝食食品累計購入数算出手段とを含み、管理サーバが、累計キャッシュバック金額算出手段によって算出した朝食食品の累計キャッシュバック金額を多機能携帯端末に出力する累計キャッシュバック金額出力手段と、朝食食品累計購入数算出手段によって算出した朝食食品の累計購入数を多機能携帯端末に出力する朝食食品累計購入数出力手段とを含む。
【００１３】
前記第１および第２の特徴を有する本発明の朝食金額管理システムの他の一例として、レシート画像または電子レシートには、勤務者が朝食食品を購入した購入日時または朝食食品を食した食事日時が含まれ、キャッシュバック朝食食品記憶手段では、キャッシュバック朝食食品に該当する朝食食品を購入した購入日時または朝食食品を食した食事日時を記憶し、キャッシュバック朝食食品送信手段では、キャッシュバック朝食食品に該当する朝食食品を購入した購入日時または朝食食品を食した食事日時を法人サーバに送信する。
【００１４】
前記第１および第２の特徴を有する本発明の朝食金額管理システムの他の一例として、キャッシュバック朝食食品比較手段では、レシート画像または電子レシートに含まれる朝食食品を購入した購入日時または朝食食品を食した食事日時とキャッシュバック朝食食品記憶手段によって記憶したキャッシュバック朝食食品に該当する朝食食品を購入した購入日時または朝食食品を食した食事日時とを比較し、管理サーバが、レシート画像または電子レシートに含まれる購入日時または食事日時と朝食食品記憶手段によって記憶した購入日時または食事日時とを比較した結果、レシート画像または電子レシートに含まれる購入日時または食事日時と朝食食品記憶手段によって記憶した購入日時または食事日時とが一致した場合、レシート重複メッセージを多機能携帯端末に出力するレシート重複メッセージ出力手段を含む。
【００１５】
前記第１および第２の特徴を有する本発明の朝食金額管理システムの他の一例として、キャッシュバック朝食食品比較手段では、レシート画像または電子レシートに含まれる購入日時または食事日時と事前に設定された朝食時間とを比較し、管理サーバが、購入日時または食事日時と朝食時間とを比較した結果、購入日時または食事日時が朝食時間から外れていた場合、レシート不可メッセージを多機能携帯端末に出力するレシート不可メッセージ出力手段を含む。
【００１６】
前記第１および第２の特徴を有する本発明の朝食金額管理システムの他の一例としては、管理サーバが、朝食食品の中にキャッシュバック朝食食品が含まれるとともに、レシート画像または電子レシートに含まれる購入日時または食事日時とキャッシュバック朝食食品記憶手段によって記憶した購入日時または食事日時とが不一致の場合、レシート受付メッセージを多機能携帯端末に出力するレシート受付メッセージ出力手段を含む。
【００１７】
前記第１および第２の特徴を有する本発明の朝食金額管理システムの他の一例としては、多機能携帯端末が、キャッシュバック朝食食品とキャッシュバック朝食食品のキャッシュバック金額とを検索するキャッシュバック朝食食品検索手段を含み、管理サーバが、各種複数のキャッシュバック朝食食品とそれらキャッシュバック朝食食品のキャッシュバック金額とを記憶するキャッシュバック対象朝食食品記憶手段と、多機能携帯端末がキャッシュバック朝食食品検索手段によってキャッシュバック朝食食品とキャッシュバック朝食食品のキャッシュバック金額とを検索した場合、キャッシュバック対象朝食食品記憶手段によって記憶した各種複数のキャッシュバック朝食食品とそれらキャッシュバック朝食食品のキャッシュバック金額とを多機能携帯端末に出力する検索食品出力手段とを含む。
【００１８】
前記第１および第２の特徴を有する本発明の朝食金額管理システムの他の一例としては、多機能携帯端末が、キャッシュバック朝食食品を購入可能またはキャッシュバック朝食食品を食することが可能な店舗の店舗名を検索する店舗名検索手段を含み、管理サーバが、各種複数のキャッシュバック朝食食品を購入可能またはキャッシュバック朝食食品を食することが可能な各種複数の店舗の店舗名を記憶する店舗名記憶手段と、多機能携帯端末が店舗名検索手段によって店舗名を検索した場合、店舗名記憶手段によって記憶したキャッシュバック朝食食品を購入可能またはキャッシュバック朝食食品を食することが可能な各種複数の店舗の店舗名を前記多機能携帯端末に出力する検索店舗出力手段とを含む。
【発明の効果】
【００１９】
第１の特徴を有する本発明の朝食金額管理システムによれば、多機能携帯端末が所定の店舗において勤務者が朝食を購入した後または勤務者が朝食を食した後にその店舗のキャッシュレジスターから発行された朝食食品および朝食食品の金額を含むレシートを撮影し、撮影されたレシートのレシート画像を管理サーバに送信し、多機能携帯端末から送信されたレシート画像に含まれる朝食食品と勤務者にキャッシュバックするとして事前に設定されたキャッシュバック朝食食品とを比較し、朝食食品とキャッシュバック朝食食品とを比較した結果、朝食食品の中にキャッシュバック朝食食品が含まれる場合、管理サーバがキャッシュバック朝食食品に該当する朝食食品および朝食食品のキャッシュバック金額を各多機能携帯端末毎に区分しつつ各法人毎に区分して記憶するとともに、記憶した朝食食品および朝食食品のキャッシュバック金額を各法人の法人サーバに送信するから、法人サーバによってキャッシュバック朝食食品に該当する朝食食品および朝食食品のキャッシュバック金額を受信した法人がキャッシュバック朝食食品に該当する朝食食品のキャッシュバック金額を勤務者にキャッシュバックすることができ、法人の勤務者が購入した朝食食品の金額や勤務者が食した朝食食品の金額を法人から受け取ることができる。朝食金額管理システムは、購入した朝食食品のキャッシュバック金額や食した朝食食品のキャッシュバック金額を勤務者が法人から受け取ることで、勤務者の朝食にかかる金銭的な負担を軽減することができ、法人の勤務者に金銭的な負担をかけることなく勤務者が朝食を食すことができる。朝食金額管理システムは、勤務者に金銭的な負担をかけることなく勤務者が朝食を食すことができるから、法人の勤務者に必要な時間に朝食を食すことを意識付けすることができ、朝食の摂取を促進することができるとともに、勤務者に朝食を食すことのメリットを享受させることができる。朝食金額管理システムは、勤務者に朝食を摂る習慣を身に付かせることで、勤務者を朝型生活に移行させることができ、朝型生活を奨励することで、勤務者が朝から仕事を効率よく処理するように仕向けることができる。
【００２０】
管理サーバが多機能携帯端末から送信されたレシート画像に含まれる朝食食品と勤務者にキャッシュバックするとして事前に設定されたキャッシュバック朝食食品とを比較し、レシート画像の朝食食品とキャッシュバック朝食食品とを比較した結果、朝食食品の中にキャッシュバック朝食食品が含まれる場合、キャッシュバック朝食食品に該当する朝食食品および朝食食品のキャッシュバック金額を各多機能携帯端末毎に区分しつつ各法人毎に区分して記憶する朝食金額管理システムは、管理サーバによって多機能携帯端末から送信されたレシート画像に含まれる朝食食品と勤務者にキャッシュバックするとして事前に設定されたキャッシュバック朝食食品とが比較され、朝食食品とキャッシュバック朝食食品とを比較した結果、朝食食品の中にキャッシュバック朝食食品が含まれる場合、管理サーバがキャッシュバック朝食食品に該当する朝食食品および朝食食品のキャッシュバック金額を各多機能携帯端末毎に区分しつつ各法人毎に区分して記憶するとともに、記憶した朝食食品および朝食食品のキャッシュバック金額を各法人の法人サーバに送信するから、法人サーバによってキャッシュバック朝食食品に該当する朝食食品および朝食食品のキャッシュバック金額を受信した法人がキャッシュバック朝食食品に該当する朝食食品のキャッシュバック金額を勤務者にキャッシュバックすることができ、法人の勤務者が購入した朝食食品の金額や勤務者が食した朝食食品の金額を法人から受け取ることができる。
【００２１】
第２の特徴を有する本発明の朝食金額管理システムによれば、多機能携帯端末が所定の店舗において勤務者が朝食を購入した後または勤務者が朝食を食した後にその店舗のキャッシュレジスターから送信された朝食食品および朝食食品の金額を含む電子レシートを受信し、受信した電子レシートを管理サーバに送信し、多機能携帯端末から送信された電子レシートに含まれる朝食食品と勤務者にキャッシュバックするとして事前に設定されたキャッシュバック朝食食品とを比較し、記朝食食品とキャッシュバック朝食食品とを比較した結果、朝食食品の中にキャッシュバック朝食食品が含まれる場合、管理サーバがキャッシュバック朝食食品に該当する朝食食品および前記朝食食品のキャッシュバック金額を各多機能携帯端末毎に区分しつつ各法人毎に区分して記憶するとともに、記憶した朝食食品および朝食食品のキャッシュバック金額を各法人の法人サーバに送信するから、法人サーバによってキャッシュバック朝食食品に該当する朝食食品および朝食食品のキャッシュバック金額を受信した法人がキャッシュバック朝食食品に該当する朝食食品のキャッシュバック金額を勤務者にキャッシュバックすることができ、法人の勤務者が購入した朝食食品の金額や勤務者が食した朝食食品の金額を法人から受け取ることができる。朝食金額管理システムは、購入した朝食食品のキャッシュバック金額や食した朝食食品のキャッシュバック金額を勤務者が法人から受け取ることで、勤務者の朝食にかかる金銭的な負担を軽減することができ、法人の勤務者に金銭的な負担をかけることなく勤務者が朝食を食すことができる。朝食金額管理システムは、勤務者に金銭的な負担をかけることなく勤務者が朝食を食すことができるから、法人の勤務者に必要な時間に朝食を食すことを意識付けすることができ、朝食の摂取を促進することができるとともに、勤務者に朝食を食すことのメリットを享受させることができる。朝食金額管理システムは、勤務者に朝食を摂る習慣を身に付かせることで、勤務者を朝型生活に移行させることができ、朝型生活を奨励することで、勤務者が朝から仕事を効率よく処理するように仕向けることができる。
【００２２】
管理サーバが多機能携帯端末から送信された電子レシートに含まれる朝食食品と勤務者にキャッシュバックするとして事前に設定されたキャッシュバック朝食食品とを比較し、朝食食品とキャッシュバック朝食食品とを比較した結果、朝食食品の中にキャッシュバック朝食食品が含まれる場合、キャッシュバック朝食食品に該当する朝食食品および前記朝食食品のキャッシュバック金額を各多機能携帯端末毎に区分しつつ各法人毎に区分して記憶する朝食金額管理システムは、管理サーバによって多機能携帯端末から送信された電子レシートに含まれる朝食食品と勤務者にキャッシュバックするとして事前に設定されたキャッシュバック朝食食品とが比較され、朝食食品とキャッシュバック朝食食品とを比較した結果、朝食食品の中にキャッシュバック朝食食品が含まれる場合、管理サーバがキャッシュバック朝食食品に該当する朝食食品および朝食食品のキャッシュバック金額を各多機能携帯端末毎に区分しつつ各法人毎に区分して記憶するとともに、記憶した朝食食品および朝食食品のキャッシュバック金額を各法人の法人サーバに送信するから、法人サーバによってキャッシュバック朝食食品に該当する朝食食品および朝食食品のキャッシュバック金額を受信した法人がキャッシュバック朝食食品に該当する朝食食品のキャッシュバック金額を勤務者にキャッシュバックすることができ、法人の勤務者が購入した朝食食品の金額や勤務者が食した朝食食品の金額を法人から受け取ることができる。
【００２３】
管理サーバが朝食食品のうちのキャッシュバック朝食食品に該当する朝食食品および朝食食品のキャッシュバック金額を多機能携帯端末に出力する朝食金額管理システムは、勤務者が購入した朝食食品または勤務者が食した朝食食品のうちのキャッシュバック朝食食品に該当する朝食食品およびその朝食食品のキャッシュバック金額を多機能携帯端末に出力することで、法人の勤務者がキャッシュバックを受けることができる朝食食品およびその朝食食品のキャッシュバック金額を知ることができ、朝食食品を購入または朝食食品を食することの金銭的なメリットを伝えることで、法人の勤務者に必要な時間に朝食を食すことを意識付けすることができ、朝食の摂取を促進することができるとともに、勤務者に朝食を食すことのメリットを享受させることができる。
【００２４】
勤務者が朝食食品を購入または朝食食品を食した店舗の店舗名がレシート画像または電子レシートに含まれ、管理サーバがキャッシュバック朝食食品に該当する朝食食品を購入または朝食食品を食した店舗の店舗名を記憶し、キャッシュバック朝食食品に該当する朝食食品を購入または朝食食品を食した店舗の店舗名を法人サーバに送信する朝食金額管理システムは、キャッシュバック朝食食品に該当する朝食食品を購入した店舗の店舗名または朝食食品を食した店舗の店舗名を法人サーバに送信することで、勤務者が朝食食品を購入する店舗名や勤務者が朝食食品を食する店舗名を法人が知ることができ、キャッシュバック朝食食品の設定や設定解除の判断材料にすることができる。
【００２５】
管理サーバまたは法人サーバがキャッシュバック朝食食品に該当する朝食食品の累計キャッシュバック金額を算出するとともに、キャッシュバック朝食食品に該当する朝食食品の累計購入数を算出し、管理サーバが朝食食品の累計キャッシュバック金額を多機能携帯端末に出力するとともに、朝食食品の累計購入数を多機能携帯端末に出力する朝食金額管理システムは、勤務者が購入した朝食食品または勤務者が食した朝食食品のうちのキャッシュバック朝食食品に該当する朝食食品の累計キャッシュバック金額や朝食食品の累計購入数を多機能携帯端末に出力することで、法人の勤務者がキャッシュバックを受けることができる朝食食品の累計キャッシュバック金額や累計購入数を知ることができ、朝食食品を購入または朝食食品を食することの金銭的なメリットを伝えることで、法人の勤務者に必要な時間に朝食を食すことを意識付けすることができ、朝食の摂取を促進することができるとともに、勤務者に朝食を食すことのメリットを享受させることができる。
【００２６】
勤務者が朝食食品を購入した購入日時または朝食食品を食した食事日時がレシート画像または電子レシートに含まれ、管理サーバがキャッシュバック朝食食品に該当する朝食食品を購入した購入日時または朝食食品を食した食事日時を記憶し、キャッシュバック朝食食品に該当する朝食食品を購入した購入日時または朝食食品を食した食事日時を法人サーバに送信する朝食金額管理システムは、キャッシュバック朝食食品に該当する朝食食品を購入した購入日時または朝食食品を食した食事日時を法人サーバに送信することで、勤務者が朝食食品を購入した購入日時や勤務者が朝食食品を食した食事日時を法人が知ることができ、キャッシュバック朝食食品の設定や設定解除の判断材料にすることができる。
【００２７】
レシート画像または電子レシートに含まれる朝食食品を購入した購入日時または朝食食品を食した食事日時と記憶したキャッシュバック朝食食品に該当する朝食食品を購入した購入日時または朝食食品を食した食事日時とを比較し、レシート画像または電子レシートに含まれる購入日時または食事日時と記憶した購入日時または食事日時とを比較した結果、レシート画像または電子レシートに含まれる購入日時または食事日時と記憶した購入日時または食事日時とが一致した場合、管理サーバがレシート重複メッセージを多機能携帯端末に出力する朝食金額管理システムは、レシート画像または電子レシートに含まれる購入日時または食事日時と記憶した購入日時または食事日時とが一致した場合、重複したレシート画像または電子レシートが多機能携帯端末から管理サーバに送信されたことになるが、この場合、レシート重複メッセージを多機能携帯端末に出力するから、朝食食品の金額の勤務者への二重のキャッシュバックを防ぐことができ、各勤務者の朝食にかかる金銭的な負担を公平に軽減することができる。
【００２８】
レシート画像または電子レシートに含まれる購入日時または食事日時と事前に設定された朝食時間とを比較し、購入日時または食事日時と朝食時間とを比較した結果、購入日時または食事日時が朝食時間から外れていた場合、管理サーバがレシート不可メッセージを多機能携帯端末に出力する朝食金額管理システムは、購入日時または食事日時が朝食時間から外れている場合、朝食時間以外に食品が購入または食品が食されたことになるが、この場合、レシート不可メッセージを多機能携帯端末に出力するから、朝食時間以外に購入または食された食品のキャッシュバックを防ぐことができ、各勤務者の朝食にかかる金銭的な負担を公平に軽減することができる。
【００２９】
朝食食品の中にキャッシュバック朝食食品が含まれるとともに、レシート画像または電子レシートに含まれる購入日時または食事日時と記憶した購入日時または食事日時とが不一致の場合、管理サーバがレシート受付メッセージを多機能携帯端末に出力する朝食金額管理システムは、朝食食品の中にキャッシュバック朝食食品が含まれ、レシート画像または電子レシートに含まれる購入日時または食事日時と記憶した購入日時または食事日時とが不一致の場合、多機能携帯端末から管理サーバに送信されたレシート画像または電子レシートが重複したものではないから、この場合、管理サーバがレシート受付メッセージを多機能携帯端末に出力することで、勤務者が朝食食品に対するキャッシュバックを受けることができることを知ることができ、朝食食品を購入または朝食食品を食することの金銭的なメリットを伝えることで、法人の勤務者に必要な時間に朝食を食すことを意識付けすることができ、朝食の摂取を促進することができるとともに、勤務者に朝食を食すことのメリットを享受させることができる。
【００３０】
管理サーバが各種複数のキャッシュバック朝食食品とそれらキャッシュバック朝食食品のキャッシュバック金額とを記憶するとともに、多機能携帯端末がキャッシュバック朝食食品とキャッシュバック朝食食品のキャッシュバック金額とを検索した場合、記憶した各種複数のキャッシュバック朝食食品とそれらキャッシュバック朝食食品のキャッシュバック金額とを多機能携帯端末に出力する朝食金額管理システムは、多機能携帯端末がキャッシュバック朝食食品とキャッシュバック朝食食品のキャッシュバック金額とを検索した場合、各種複数のキャッシュバック朝食食品とそれらキャッシュバック朝食食品のキャッシュバック金額とを多機能携帯端末に出力するから、勤務者が各種複数のキャッシュバック朝食食品を知ることができ、それらキャッシュバック朝食食品のキャッシュバック金額を知ることができるから、法人の勤務者に必要な時間に朝食を食すことを意識付けすることができ、朝食の摂取を促進することができる。
【００３１】
管理サーバが各種複数のキャッシュバック朝食食品を購入可能またはキャッシュバック朝食食品を食することが可能な各種複数の店舗の店舗名を記憶するとともに、多機能携帯端末が店舗名を検索した場合、記憶したキャッシュバック朝食食品を購入可能またはキャッシュバック朝食食品を食することが可能な各種複数の店舗の店舗名を多機能携帯端末に出力する朝食金額管理システムは、多機能携帯端末が店舗名を検索した場合、キャッシュバック朝食食品を購入可能またはキャッシュバック朝食食品を食することが可能な各種複数の店舗の店舗名を多機能携帯端末に出力するから、勤務者がキャッシュバック朝食食品を購入可能またはキャッシュバック朝食食品を食することが可能な店舗を知ることができ、法人の勤務者に必要な時間に朝食を食すことを意識付けすることができ、所定の店舗における朝食の摂取を促進することができる。
【図面の簡単な説明】
【００３２】
【図１】一例として示す朝食金額管理システムの構成図。
【図２】朝食金額管理サイトのキャッシュバック申請画面の一例を示す図。
【図３】朝食金額管理サイトのメニュー画面の一例を示す図。
【図４】朝食金額管理サイトのレシート撮影画面の一例を示す図。
【図５】朝食金額管理サイトの撮影アドバイス画面の一例を示す図。
【図６】撮影されたレシートのレシート画像表示画面の一例を示す図。
【図７】朝食金額管理サイトのレシート画像送信画面の一例を示す図。
【図８】朝食金額管理サイトのレシート受付画面の一例を示す図。
【図９】朝食金額管理サイトの検索入力画面の一例を示す図。
【図１０】朝食金額管理サイトの店舗名検索結果表示画面の一例を示す図。
【図１１】朝食金額管理サイトの店舗詳細検索結果表示画面の一例を示す図。
【図１２】朝食金額管理サイトの朝食食品検索結果表示画面の一例を示す図。
【図１３】朝食金額管理サイトの朝食食品詳細検索結果表示画面の一例を示す図。
【図１４】朝食金額管理サイトのキャッシュバック朝食食品表示画面の一例を示す図。
【図１５】朝食金額管理サイトの累計キャッシュバック金額表示画面の一例を示す図。
【図１６】朝食金額管理サイトのキャッシュバック朝食食品累計購入数表示画面の一例を示す図。
【発明を実施するための形態】
【００３３】
一例として示す朝食金額管理システム１０の構成図である図１等の添付の図面を参照し、本発明に係る朝食金額管理システムの詳細を説明すると、以下のとおりである。図１では、３台のスマートフォン１１Ａ〜１１Ｃ（多機能携帯端末）や３台のタブレット１２Ａ〜１２Ｃ（多機能携帯端末）、２台のサーバ１４Ａ，１４Ｂを図示しているが、実際にはインターネット１３（ネットワーク）を介して接続される各種複数のサーバが存在するとともに、インターネット１３を介して各サーバへアクセス可能な各種複数のスマートフォンや各種複数のタブレットが存在する。
【００３４】
なお、多機能携帯端末には携帯情報端末（ＰＤＡ）も含まれ、さらに、今後開発されるインターネット１３に接続可能であってカメラ機能（デジタル撮影機能）や電子レシート受信機能を有する全ての多機能携帯端末が含まれる。また、インターネット１３の他に、スマートフォン１１Ａ〜１１Ｃやそれらタブレット１２Ａ〜１２Ｃとサーバ１４Ａ，１４ＢとがＬＡＮやＷＡＮ等の他のネットワークによって接続される場合も含まれる。
【００３５】
朝食金額管理システム１０は、所定の法人に勤務する特定多数の勤務者が所持する各種複数のスマートフォン１１Ａ〜１１Ｃ（各種複数の多機能携帯端末）や各種複数のタブレット１２Ａ〜１２Ｃ（各種複数の多機能携帯端末）と、それらスマートフォン１１Ａ〜１１Ｃやそれらタブレット１２Ａ〜１２Ｃがインターネット１３（ネットワーク）を介して接続可能（ログイン可能）な管理サーバ１４Ａと、管理サーバ１４Ａにインターネット１３（ネットワーク）を介して接続可能（ログイン可能）な法人サーバ１４Ｂとから形成されている。スマートフォン１１Ａ〜１１Ｃやタブレット１２Ａ〜１２Ｃは、それぞれ機種が異なるとともにそれを提供するキャリア（メーカー）が異なる。
【００３６】
スマートフォン１１Ａ〜１１Ｃやタブレット１２Ａ〜１２Ｃは、中央処理部（ＣＰＵまたはＭＰＵ）とメモリ（メインメモリおよびキャッシュメモリ）とを有して独立したオペレーティングシステム（ＯＳ）によって動作する物理的なコンピュータを内蔵し、大容量記憶領域を実装している。スマートフォン１１Ａ〜１１Ｃやタブレット１２Ａ〜１２Ｃは、カメラ機能によって被写体をデジタル画像データ（静止画または動画）として撮影（取得）し、撮影した被写体の画像データを大容量記憶領域に記憶することができる。スマートフォン１１Ａ〜１１Ｃやタブレット１２Ａ〜１２Ｃは、キャッシュレジスターから送信された電子レシートを受信し、受信した電子レシートを大容量記憶領域に記憶することができる。
【００３７】
スマートフォン１１Ａ〜１１Ｃやタブレット１２Ａ〜１２Ｃのメインメモリには、朝食金額管理システム１０の各手段を実行するアプリケーションおよび電子レシートを受信するアプリケーションが格納されている。アプリケーションは、管理サーバ１４Ａに直接アクセスし、または、リンクを介して他のサーバから管理サーバ１４Ａにアクセスした後、管理サーバ１４Ａからダウンロードする。スマートフォン１１Ａ〜１１Ｃやタブレット１２Ａ〜１２Ｃのメインメモリには、ウェブブラウザおよび電子メールの送受信や電子メールの管理を行う電子メールクライアントが格納されている。
【００３８】
スマートフォン１１Ａ〜１１Ｃやタブレット１２Ａ〜１２Ｃは、ウェブブラウザを利用してインターネット１３に接続可能であり、インターネット１３を利用して不特定多数の他のサーバ（物理サーバや仮想サーバ）にアクセスかつログインすることができるとともに、インターネット１３において各種検索エンジンを利用することができる。スマートフォン１１Ａ〜１１Ｃやタブレット１２Ａ〜１２Ｃは、管理サーバ１４Ａや法人サーバ１４ＢのＵＲＬを使用してそれらサーバ１４Ａ，１４Ｂにアクセスかつログインすることができるとともに、インターネット１３を利用して各種情報（文字データや画像データ）を管理サーバ１４Ａや法人サーバ１４Ｂを含む他の複数の外部サーバに提供することができ、インターネット１３を利用して各種情報を管理サーバ１４Ａや法人サーバ１４Ｂを含む他の複数の外部サーバから受け取ることができる。
【００３９】
スマートフォン１１Ａ〜１１Ｃやタブレット１２Ａ〜１２Ｃの大容量記憶領域には、それらを特定する携帯端末特定情報（携帯端末特定識別子）が格納されている。携帯端末特定情報としては、スマートフォン１１Ａ〜１１Ｃやタブレット１２Ａ〜１２ＣのＩＰアドレスやＭＡＣアドレス、ＵＲＬ、メールアドレス、Ｃｏｏｋｉｅ情報、固体識別番号等を利用することができる他、スマートフォン１１Ａ〜１１Ｃやタブレット１２Ａ〜１２Ｃがそれらを識別するユニークな識別子を独自に生成し、生成した識別子を携帯端末特定情報とすることができる。スマートフォン１１Ａ〜１１Ｃやタブレット１２Ａ〜１２Ｃの大容量記憶領域には、それらを使用する権限を有する勤務者の個人情報が格納される。個人情報としては、パスワードやＩＤ番号、勤務者の氏名、住所、電話番号、ＦＡＸ番号、年齢、性別、メールアドレス等がある。
【００４０】
管理サーバ１４Ａは、朝食金額管理システム１０を提供するシステム提供者（システム提供会社）が契約するデータセンターに設置されている。なお、管理サーバ１４Ａが朝食金額管理システム１０を提供するシステム提供者の事業所に設置される場合もある。管理サーバ１４Ａは、所定の店舗において法人の勤務者が購入した朝食または勤務者が食した朝食のキャッシュバック金額を管理する。
【００４１】
法人サーバ１４Ｂは、朝食金額管理システム１０を利用する法人（株式会社や有限会社、一般社団法人等）が契約するデータセンターに設置されている。なお、法人サーバ１４Ｂが朝食金額管理システム１０を利用する法人の事業所に設置される場合もある。法人サーバ１４Ｂは、各法人の業務に使用される。朝食金額管理システム１０を利用する法人は、そこに勤務する勤務者が朝食時間内に購入した朝食の金額（購入金額）または朝食時間内に食した朝食の金額（食事金額）をその勤務者にキャッシュバックする（支払う）。
【００４２】
なお、キャッシュバック金額は、購入金額や食事金額の全額、または、購入金額や食事金額の何割（８割や５割等）でもよく、自由に決定することができる。キャッシュバック金額（還元率）は、各法人が決定し、管理サーバ１４Ａに入力される。また、キャッシュバック朝食食品の設定や設定解除は各法人が決定し、管理サーバ１４Ａに入力される。
【００４３】
管理サーバ１４Ａや法人サーバ１４Ｂは、世界のいずれかに施設されたデータセンターの他のサーバとインターネット１３を介してネットワークを形成している。管理サーバ１４Ａや法人サーバ１４Ｂは、中央処理部（ＣＰＵまたはＭＰＵ）とメモリ（メインメモリおよびキャッシュメモリ）とを備えた物理的なコンピュータまたは仮想されたバーチャルコンピュータであり、物理的な大容量記憶領域または仮想された大容量記憶領域を内蔵している。なお、図示はしていないが、それらサーバ１４Ａ，１４Ｂには、キーボードやマウス等の入力装置、ディスプレイやプリンタ等の出力装置がインターフェイスを介して接続されている。
【００４４】
管理サーバ１４Ａや法人サーバ１４Ｂには、ホスト名とそのホスト名に割り当てるＩＰアドレスとの対応付けを設定するＤＮＳサーバ、他のコンピュータや他のサーバからの要求を受け付けて各種情報を読み書きする機能を提供するデータベース・ファイルサーバ、ホームページを公開するために必要なＷｅｂサーバ、電子メールの送受信用のメールサーバ、作成された文章や画像等のデータをすべて保存してそれらのデータを検索可能にするドキュメントサーバ等の各種サーバが接続され、それらサーバがサーバ群を形成している。なお、管理サーバ１４Ａや法人サーバ１４Ｂは、それ自体がＤＮＳサーバ機能、データベースサーバ機能、Ｗｅｂサーバ機能、メールサーバ機能、ドキュメントサーバ機能を有し、各サーバ機能別にソフトウェア的に区分されている場合がある。それらサーバ１４Ａ，１４Ｂは、インターネット１３に接続された各種複数のＤＮＳサーバ等を経由しつつ、インターネット１３を利用してアクセス制限がない他のあらゆるサーバにアクセスすることができる。
【００４５】
管理サーバ１４Ａの大容量記憶領域には、それらキャッシュバック朝食食品を購入可能な店舗（コンビニエンスストアやドラッグストア、スーパー、デパート、フードショップ等）の店舗名（店舗の住所、店舗のＵＲＬ、店舗のメールアドレス、店舗の電話番号、店舗の地図情報を含む）、それらキャッシュバック朝食食品を食することが可能な店舗（外食チェーン店や立ち食い店、個別飲食店等）の店舗名（店舗の住所、店舗のＵＲＬ、店舗のメールアドレス、店舗の電話番号、店舗の地図情報を含む）が店舗特定情報（店舗特定識別子）に関連付けられた状態で記憶（格納）されている（店舗名記憶手段）。それらキャッシュバック朝食食品を購入可能な店舗、それらキャッシュバック朝食食品を食することが可能な店舗は、何時でも任意に追加、変更、削除（改訂）することができる。
【００４６】
管理サーバ１４Ａの大容量記憶領域には、各種複数のキャッシュバック朝食食品（キャッシュバック朝食食品データ）、それらキャッシュバック朝食食品の各キャッシュバック金額（後記する還元率を含むキャッシュバック金額データ）がキャッシュバック朝食食品特定情報（キャッシュバック朝食食品特定識別子）および店舗特定情報（店舗特定識別子）に関連付けられた状態で記憶（格納）されている（キャッシュバック対象朝食食品記憶手段）。キャッシュバック朝食食品やキャッシュバック金額（払戻金額）は、何時でも任意に追加、変更、削除（改訂）することができる。
【００４７】
管理サーバ１４Ａの大容量記憶領域には、事前に設定された朝食時間が記憶（格納）されている（朝食時間記憶手段）。朝食時間は、何時でも任意に追加、変更、削除（改訂）することができる。朝食時間としては、例えば、午前６時〜午前８時や午前５時〜午前７時３０分等自由に設定することができる。管理サーバ１４Ａの大容量記憶領域には、朝食金額管理システム１０を利用する法人名が法人を特定する法人特定情報（法人特定識別子）に関連付けられた状態で記憶（格納）されている。管理サーバ１４Ａの大容量記憶領域には、朝食金額管理システム１０を利用する法人に勤務する勤務者名が勤務者を特定する勤務者特定情報（勤務者特定）、法人特定情報（法人特定識別子）に関連付けられた状態で記憶（格納）されている。
【００４８】
キャッシュバック朝食食品に対するキャッシュバック金額は、各キャッシュバック朝食食品毎に異なる割合（還元率）のキャッシュバック金額を設定することができるとともに、各店舗毎に異なる割合（還元率）のキャッシュバック金額を設定することができる。さらに、各店舗毎に異なるとともに各キャッシュバック朝食食品毎に異なる割合（還元率）のキャッシュバック金額を設定することができる。各キャッシュバック朝食食品に対する還元率や各店舗に対する還元率、各店舗および各キャッシュバック朝食食品に対する還元率は、管理サーバ１４Ａに接続された入力装置から管理サーバ１４Ａに入力する。
【００４９】
例えば、勤務者が購入するカレーパンの売価が１２０円である場合、そのキャッシュバック金額を全額の１２０円（還元率１００％）に設定し、または、そのキャッシュバック金額を全額の８割である９６円（還元率８０％）に設定し、あるいは、そのキャッシュバック金額を全額の５割である６０円（還元率５０％）に設定することができる。勤務者が食するラーメンの売価が４５０円である場合、そのキャッシュバック金額を全額の４５０円（還元率１００％）に設定し、または、そのキャッシュバック金額を全額の６割である２７０円（還元率６０％）に設定し、あるいは、そのキャッシュバック金額を全額の３割である１３５円（還元率３０％）に設定することができる。各キャッシュバック朝食食品毎の還元率は、何時でも任意に変更することができる。
【００５０】
Ａ店舗における還元率を１００％に設定し、Ｂ店舗における還元率を８０％に設定するとともに、Ｃ店舗の還元率を５０％に設定することができる。各店舗毎の還元率は、何時でも任意に変更することができる。勤務者がＡ店舗において購入するメロンパンの売価が１５０円である場合、そのキャッシュバック金額を全額の１５０円（還元率１００％）に設定し、勤務者がＢ店舗で購入する梅おにぎりの売価が１３０円である場合、そのキャッシュバック金額を全額の７割である９１円（還元率７０％）に設定し、勤務者がＣ店舗で購入するお茶の売価が１２０円である場合、そのキャッシュバック金額を全額の４割である４８円（還元率４０％）に設定することができる。各店舗毎および各キャッシュバック朝食食品毎の還元率は、何時でも任意に変更することができる。
【００５１】
管理サーバ１４Ａの大容量記憶領域には、朝食金額管理システム１０のアプリケーションをダウンロード（インストール）したスマートフォン１１Ａ〜１１Ｃやタブレット１２Ａ〜１２Ｃの携帯端末特定情報、スマートフォン１１Ａ〜１１Ｃやタブレット１２Ａ〜１２Ｃを所持する勤務者の個人情報、スマートフォン１１Ａ〜１１Ｃやタブレット１２Ａ〜１２ＣのＵＲＬ、撮影アドバイス情報が記憶（格納）されている。
【００５２】
なお、既に勤務者からキャッシュバック申請があった場合、管理サーバ１４Ａの大容量記憶領域には、キャッシュバック朝食食品に該当する朝食食品、その朝食食品のキャッシュバック金額（還元率を含む）、朝食食品を購入または朝食食品を食した店舗の店舗名、朝食食品を購入した購入日時または朝食食品を食した食事日時がスマートフォン１１Ａ〜１１Ｃやタブレット１２Ａ〜１２Ｃの携帯端末特定情報（携帯端末特定識別子）、キャッシュバック朝食食品特定情報（キャッシュバック朝食食品特定識別子）、店舗特定情報（店舗特定識別子）に関連付けられた状態で記憶（格納）されている（キャッシュバック朝食食品記憶手段）。したがって、キャッシュバック朝食食品記憶手段では、キャッシュバック朝食食品に該当する朝食食品、その朝食食品のキャッシュバック金額（還元率を含む）、朝食食品を購入または朝食食品を食した店舗の店舗名、朝食食品を購入した購入日時または朝食食品を食した食事日時が各多機能携帯端末毎に区分されるとともに各法人毎に区分されて記憶（格納）される。
【００５３】
法人サーバ１４Ｂの大容量記憶領域には、スマートフォン１１Ａ〜１１Ｃやタブレット１２Ａ〜１２Ｃの携帯端末特定情報、スマートフォン１１Ａ〜１１Ｃやタブレット１２Ａ〜１２Ｃを所持する勤務者の個人情報、スマートフォン１１Ａ〜１１Ｃやタブレット１２Ａ〜１２ＣのＵＲＬ、管理サーバ１４ＡのＵＲＬが記憶（格納）されている。
【００５４】
なお、既に管理サーバ１４Ａからキャッシュバック朝食食品に該当する朝食食品、その朝食食品のキャッシュバック金額（還元率を含む）、朝食食品を購入または朝食食品を食した店舗の店舗名、朝食食品を購入した購入日時または朝食食品を食した食事日時が法人サーバ１４Ｂに送信されている場合は、法人サーバ１４Ｂの大容量記憶領域には、キャッシュバック朝食食品に該当する朝食食品、その朝食食品のキャッシュバック金額（還元率を含む）、朝食食品を購入または朝食食品を食した店舗の店舗名、朝食食品を購入した購入日時または朝食食品を食した食事日時がスマートフォン１１Ａ〜１１Ｃやタブレット１２Ａ〜１２Ｃの携帯端末特定情報（携帯端末特定識別子）、キャッシュバック朝食食品特定情報（キャッシュバック朝食食品特定識別子）、店舗特定情報（店舗特定識別子）に関連付けられた状態で記憶（格納）されている。
【００５５】
図２は、朝食金額管理サイトのキャッシュバック申請画面の一例を示す図であり、図３は、朝食金額管理サイトのメニュー画面の一例を示す図である。図４は、朝食金額管理サイトのレシート撮影画面の一例を示す図であり、図５は、朝食金額管理サイトの撮影アドバイス画面の一例を示す図である。図６は、撮影されたレシートのレシート画像表示画面の一例を示す図であり、図７は、朝食金額管理サイトのレシート画像送信画面の一例を示す図である。図８は、朝食金額管理サイトのレシート受付画面の一例を示す図である。図２〜図８では、スマートフォン１１Ａのみを図示して朝食金額管理システム１０を説明する（以下の図において同じ）。図５，８では、各表示エリアに表示されるデータ（項目）の図示を省略している。
【００５６】
法人の勤務者が朝の時間帯に所定の店舗において朝食を購入した後、または、所定の店舗において朝食を食した後、朝食の金額（購入金額、食事金額）のキャッシュバックを受ける（申請する）場合、勤務者は、スマートフォン１１Ａの待ち受け画面（図示せず）に表示された朝食金額管理システム１０（朝食金額管理サイト）のアイコンをタップ（クリック）する。
【００５７】
朝食金額管理システム１０（朝食金額管理サイト）のアイコンをタップすると、スマートフォン１１Ａは、インターネット１３に接続しつつ管理サーバ１４ＡのＵＲＬを使用して管理サーバ１４Ａの朝食金額管理システム１０（朝食金額管理サイト）にアクセスかつログインする。スマートフォン１１Ａが朝食金額管理システム１０（朝食金額管理サイト）にログインすると、図２に示す朝食金額管理サイトのキャッシュバック申請画面がスマートフォン１１Ａのタッチパネル１５に表示される。
【００５８】
図２のキャッシュバック申請画面には、キャッシュバックを申請するための［申請する］ボタン２ａ、キャッシュバックを申請しない［申請しない］ボタン２ｂが表示される。［申請しない］ボタン２ｂをタップ（クリック）すると、図示はしていないが、お礼メッセージとサイトからの退出ボタンが表示され、退出ボタンをタップすると、スマートフォン１１Ａが朝食金額管理システム１０（朝食金額管理サイト）からログアウトし、所定の待ち受け画面がスマートフォン１１Ａのタッチパネルに表示される。
【００５９】
勤務者が［申請する］ボタン２ａをタップすると、図３に示す朝食金額管理サイトのメニュー画面がスマートフォン１１Ａのタッチパネル１５に表示される。図３のメニュー画面には、［申請］ボタン３ａ、［電子レシート］ボタン３ｂ、［検索］ボタン３ｃ、［キャッシュバック朝食食品表示］ボタン３ｄ、［ログアウト］ボタン３ｅが表示される。［ログアウト］ボタン３ｅをタップ（クリック）すると、スマートフォン１１Ａが管理サーバ１４Ａ（朝食金額管理システム１０）からログアウトし、待ち受け画面に戻る（以下の［ログアウト］ボタンも同様）。
【００６０】
勤務者が各店舗（コンビニエンスストアやドラッグストア、スーパー、デパート、フードショップ等）において所定の朝食を購入した場合、朝食を販売した店舗のキャッシュレジスター（ＰＯＳレジ）（図示せず）からレシートが勤務者に発行される。または、各店舗（外食チェーン店や立ち食い店、個別飲食店等）において所定の朝食を食した場合、朝食を食した店舗のキャッシュレジスター（ＰＯＳレジ）（図示せず）からレシートが勤務者に発行される。レシート（以下の電子レシートを含む）には、勤務者が購入または食した朝食食品の朝食食品名（レシート表示項目）、朝食食品の金額（レシート表示項目）、朝食食品を提供した店舗の店舗名（レシート表示項目）、朝食食品を購入または食した日時が表示される（レシート表示項目）。
【００６１】
キャッシュバックを申請する場合、勤務者は、レシートを受け取った後、図３のメニュー画面に表示された［申請］ボタンをタップする。［申請］ボタンをタップすると、図４に示す朝食金額管理サイトのレシート撮影画面がスマートフォン１１Ａのタッチパネル１５に表示される。図４のレシート撮影画面には、レシートの表紙の撮影を依頼するメッセージとともに、［撮影する］ボタン４ａ、［撮影しない］ボタン４ｂが表示される。［撮影しない］ボタン４ｂをクリックすると、図３のメニュー画面がスマートフォン１１Ａのタッチパネル１５に表示される。レシートを撮影する場合は、［撮影する］ボタン４ａをタップする。勤務者が［撮影する］ボタン４ａをタップすると、図５に示す朝食金額管理サイトの撮影アドバイス画面がスマートフォン１１Ａのタッチパネルに表示される。
【００６２】
図５の撮影アドバイス画面には、撮影手順を表示した［撮影手順］表示エリア５ａ、撮影条件を表示した［撮影条件］表示エリア５ｂ、［撮影する］ボタン５ｃ、［戻る］ボタン５ｄ、［メニュー］ボタン５ｅ、［ログアウト］ボタン５ｆが表示される。［戻る］ボタン５ｄをタップすると、１つ前の画面が表示され（以下の［戻る］ボタンにおいて同じ）、［メニュー］ボタン５ｅをタップすると、図３のメニュー画面がスマートフォン１１Ａのタッチパネル１５に表示される（以下の［メニュー］ボタンも同様）。
【００６３】
勤務者は、［撮影手順］を見ることで、［撮影手順］を知ることができ、［撮影条件］を見ることで、［撮影条件］を知ることができる。なお、タッチパネル１５をフリックすることで、画面をスクロールすることができ、［撮影手順］表示エリア５ａや［撮影条件］表示エリア５ｂをピンチすることで、［撮影手順］表示エリア５ａや［撮影条件］表示エリア５ｂを拡大、縮小することができる。［撮影手順］表示エリア５ａには、たとえば、［レシートの端を手で持ち、スマートフォンをレシートの項目表示面に対して平行にした状態で、影や異物が入らないようにして、レシートの全体が入るようにシャッタを切って下さい。］等のメッセージが表示される（撮影アドバイス出力手段）。
【００６４】
朝食金額管理システム１０は、スマートフォン１１Ａ（多機能携帯端末）がレシートの撮影時にその撮影手順とその撮影条件との少なくとも一方の撮影アドバイスを出力するから、勤務者がレシートを正確に撮影することができ、不鮮明なレシート画像、影や異物等の余分な画像を含むレシート画像、必要なレシート表示項目が含まれないレシート画像、レシートの一部が欠落しているレシート画像等の不適合なレシート画像が管理サーバ１４に送信されることはなく、勤務者がレシートを利用して各種の朝食食品を円滑かつ迅速にキャッシュバック申請することができる。
【００６５】
［撮影手順］や［撮影条件］を確認した勤務者は、［撮影する］ボタンをタップする。［撮影する］ボタンをタップすると、スマートフォン１１Ａのカメラ機能が起動して撮影モードに切り替わる。勤務者は、撮影モードにおいてスマートフォン１１Ａのシャッタを切り、レシートの表面（レシート表示項目）を撮影する（レシート撮影手段）。レシートの撮影が終了すると、図６に示すレシート画像表示画面がスマートフォン１１Ａのタッチパネル１５に表示される。なお、スマートフォン１１Ａのタッチパネル１５に図６のレシート画像表示画面を表示しない場合もある。
【００６６】
図６のレシート画像表示画面には、レシートに表示されたレシート表示項目（店舗名、店舗住所、店舗電話番号、購入日、購入時間、購入食品、購入金額等）、［保存する］ボタン６ａ、［保存しない］ボタン６ｂが表示される。［保存しない］ボタン６ｂをタップすると、図３のメニュー画面がスマートフォン１１Ａのタッチパネル１５に表示される。［保存する］ボタン６ａをタップすると、撮影されたレシートのレシート画像がスマートフォン１１Ａの大容量記憶領域に記憶（格納）されるとともに、図７に示す朝食金額管理サイトのレシート画像送信画面がスマートフォン１１Ａのタッチパネル１５に表示される。
【００６７】
図７のレシート画像送信画面には、レシート画像の管理サーバ１４への送信を指示する送信メッセージ、［送信する］ボタン７ａ、［送信しない］ボタン７ｂ、［撮影する］ボタン７ｃが表示される。［送信しない］ボタン７ｂをタップすると、図３のメニュー画面がスマートフォン１１Ａのタッチパネル１５に表示される。［撮影する］ボタン７ｃをタップすると、図４のレシート撮影画面がスマートフォン１１Ａのタッチパネル１５に表示される。図４からの手順を繰り返すことで異なる複数枚のレシートを撮影し、過去および現在撮影した複数枚のレシートを管理サーバ１４に一度に送信することができる。
【００６８】
勤務者が［送信する］ボタン７ａをタップすると、スマートフォン１１Ａによって撮影されたレシートのレシート画像（スマートフォン１１Ａの携帯端末特定情報を含む）がスマートフォン１１Ａから管理サーバ１４Ａに送信される（レシート画像送信手段）。レシート画像が管理サーバ１４Ａに送信された後、図示はしていないが、送信完了画面がスマートフォン１１Ａのタッチパネル１５に表示される。送信完了画面には、レシート送信完了メッセージ、［ＯＫ］ボタンが表示される。勤務者が送信完了画面の［ＯＫ］ボタンをタップすると、図３のメニュー画面がスマートフォン１１Ａのタッチパネル１５に表示される。
【００６９】
管理サーバ１４は、レシート画像送信手段によってスマートフォン１１Ａから送信されたレシート画像（スマートフォン１１Ａの携帯端末特定情報を含む）を受信する（レシート画像受信手段）。管理サーバ１４は、スマートフォン１１Ａからレシート画像およびスマートフォン１１Ａの携帯端末特定情報を受信すると、受信したスマートフォン１１Ａの携帯端末特定情報と管理サーバ１４Ａの大容量記憶領域に記憶した携帯端末特定情報とを比較し、受信したスマートフォン１１Ａの携帯端末特定情報が大容量記憶領域に記憶した携帯端末特定情報の中に存在する場合、受信したレシート画像（レシート表示項目）を携帯端末特定情報に関連付けた状態で大容量記憶領域に記憶（格納）する（レシート記憶手段）。
【００７０】
次に、管理サーバ１４は、スマートフォン１１Ａから送信されたレシート画像から朝食食品、朝食食品を購入した購入日時または朝食食品を食した食事日時を読み取る。管理サーバ１４は、レシート画像から読み取った朝食食品と朝食食品記憶手段によって大容量記憶領域に記憶したキャッシュバック朝食食品とを比較し、レシート画像から読み取った朝食食品を購入した購入日時または朝食食品を食した食事日時と朝食食品記憶手段によって大容量記憶領域に記憶したキャッシュバック朝食食品に該当する朝食食品を購入した購入日時または朝食食品を食した食事日時とを比較するとともに、レシート画像から読み取った購入日時または食事日時と事前に設定された朝食時間とを比較する（キャッシュバック朝食食品比較手段）。なお、キャッシュバック朝食食品比較手段が管理サーバ１４ではなく目視で行われる場合もある。
【００７１】
管理サーバ１４は、レシート画像から読み取った朝食食品と大容量記憶領域に記憶したキャッシュバック朝食食品とを比較した結果、朝食食品の中にキャッシュバック朝食食品が含まれ、レシート画像から読み取った朝食食品を購入した購入日時または朝食食品を食した食事日時と大容量記憶領域に記憶したキャッシュバック朝食食品に該当する朝食食品を購入した購入日時または朝食食品を食した食事日時とを比較した結果、レシート画像に含まれる購入日時または食事日時と記憶した購入日時または食事日時とが不一致であり、レシート画像から読み取った購入日時または食事日時と事前に設定された朝食時間とを比較した結果、レシート画像に含まれる購入日時または食事日時が朝食時間内の場合、図示はしていないが、レシート受付メッセージをスマートフォン１１Ａのタッチパネル１５に出力（表示）する（レシート受付メッセージ出力手段）。
【００７２】
スマートフォン１１Ａがレシートを電子レシートとして受信する場合、勤務者が各店舗（コンビニエンスストアやドラッグストア、スーパー、デパート、フードショップ等）において所定の朝食を購入し、または、各店舗（外食チェーン店や立ち食い店、個別飲食店等）において所定の朝食を食した後、図３のメニュー画面に表示された［電子レシート］ボタン３ｂをタップする。［電子レシート］ボタン３ｂをタップすると、所定のバーコード（二次元バーコードまたは三次元）がスマートフォン１１Ａのタッチパネル１５に表示される。勤務者は、タッチパネル１５に表示されたバーコードをキャッシュレジスター（ＰＯＳレジ）に接続されたバーコードリーダに読み込ませる。バーコードをバーコードリーダに読み込ませると、購入した朝食や食した朝食に対する電子レシートがキャッシュレジスターからスマートフォン１１Ａに送信され、その電子レシートをスマートフォン１１Ａが受信する（電子レシート受信手段）。受信した電子レシートは、スマートフォン１１Ａの大容量記憶領域に記憶（格納）される。
【００７３】
スマートフォン１１Ａがキャッシュレジスターから電子レシートを受信した後、図６のレシート画像表示画面がスマートフォン１１Ａのタッチパネル１５に表示される。勤務者が［保存する］ボタン６ａをタップして図７のレシート画像送信画面を表示させ、図７のレシート画像送信画面の［送信する］ボタン７ａをタップすると、キャッシュレジスターから受信した電子レシート（スマートフォン１１Ａの携帯端末特定情報を含む）がスマートフォン１１Ａから管理サーバ１４Ａに送信される（電子レシート送信手段）。電子レシートが管理サーバ１４Ａに送信された後、図示はしていないが、送信完了画面がスマートフォン１１Ａのタッチパネルに表示される。送信完了画面には、電子レシート送信完了メッセージ、［ＯＫ］ボタンが表示される。勤務者が送信完了画面の［ＯＫ］ボタンをタップすると、図３のメニュー画面がスマートフォン１１Ａのタッチパネル１５に表示される。
【００７４】
管理サーバ１４は、電子レシート送信手段によってスマートフォン１１Ａから送信された電子レシート（スマートフォン１１Ａの携帯端末特定情報を含む）を受信する（電子レシート受信手段）。管理サーバ１４は、スマートフォン１１Ａから電子レシートおよびスマートフォン１１Ａの携帯端末特定情報を受信すると、受信したスマートフォン１１Ａの携帯端末特定情報と管理サーバ１４Ａの大容量記憶領域に記憶した携帯端末特定情報とを比較し、受信したスマートフォン１１Ａの携帯端末特定情報が大容量記憶領域に記憶した携帯端末特定情報の中に存在する場合、受信した電子レシート（レシート表示項目）を携帯端末特定情報に関連付けた状態で大容量記憶領域に記憶（格納）する（電子レシート記憶手段）。
【００７５】
管理サーバ１４は、スマートフォン１１Ａから送信された電子レシートから朝食食品、朝食食品を購入した購入日時または朝食食品を食した食事日時を読み取る。管理サーバ１４は、電子レシートから読み取った朝食食品と朝食食品記憶手段によって大容量記憶領域に記憶したキャッシュバック朝食食品とを比較し、電子レシートから読み取った朝食食品を購入した購入日時または朝食食品を食した食事日時と朝食食品記憶手段によって大容量記憶領域に記憶したキャッシュバック朝食食品に該当する朝食食品を購入した購入日時または朝食食品を食した食事日時とを比較するとともに、電子レシートから読み取った購入日時または食事日時と事前に設定された朝食時間とを比較する（キャッシュバック朝食食品比較手段）。なお、キャッシュバック朝食食品比較手段が管理サーバ１４ではなく目視で行われる場合もある。
【００７６】
管理サーバ１４は、電子レシートから読み取った朝食食品と大容量記憶領域に記憶したキャッシュバック朝食食品とを比較した結果、朝食食品の中にキャッシュバック朝食食品が含まれ、電子レシートから読み取った朝食食品を購入した購入日時または朝食食品を食した食事日時と大容量記憶領域に記憶したキャッシュバック朝食食品に該当する朝食食品を購入した購入日時または朝食食品を食した食事日時とを比較した結果、電子レシートに含まれる購入日時または食事日時と記憶した購入日時または食事日時とが不一致であり、電子レシートから読み取った購入日時または食事日時と事前に設定された朝食時間とを比較した結果、電子レシートに含まれる購入日時または食事日時が朝食時間内の場合、図示はしていないが、レシート受付メッセージをスマートフォン１１Ａのタッチパネル１５に出力（表示）する（レシート受付メッセージ出力手段）。
【００７７】
管理サーバ１４は、レシート受付メッセージをスマートフォン１１Ａのタッチパネル１５に出力（表示）すると同時に、勤務者が購入した朝食食品または勤務者が食した朝食食品のうちのキャッシュバック朝食食品に該当する朝食食品およびその朝食食品のキャッシュバック金額（還元率を含む）、勤務者が朝食食品を購入または朝食食品を食した店舗の店舗名をスマートフォン１１Ａのタッチパネル１５に出力（表示）する（キャッシュバック朝食食品出力手段）。スマートフォン１１Ａのタッチパネル１５には、図８に示すレシート受付画面が表示される。
【００７８】
朝食金額管理システム１０は、勤務者が購入した朝食食品または勤務者が食した朝食食品のうちのキャッシュバック朝食食品に該当する朝食食品およびその朝食食品のキャッシュバック金額（還元率を含む）をスマートフォン１１Ａ（多機能携帯端末）のタッチパネル１５に出力（表示）に出力することで、法人の勤務者がキャッシュバックを受けることができる朝食食品、その朝食食品のキャッシュバック金額、還元率を知ることができ、朝食食品を購入または朝食食品を食することの金銭的なメリットを伝えることができる。
【００７９】
図８のレシート受付画面には、レシート受付メッセージとともに、キャッシュバック朝食食品を表示したキャッシュバック朝食食品表示エリア８ａ、キャッシュバック金額（還元率を含む）を表示したキャッシュバック金額表示エリア８ｂ、店舗名を表示した店舗名表示エリア８ｃ、［確認］ボタン８ｄが表示される。勤務者がレシート受付画面の［確認］ボタン８ｄをタップすると、図３のメニュー画面がスマートフォン１１Ａのタッチパネル１５に表示される。勤務者は、購入した朝食食品または食した朝食食品のうちのキャッシュバック朝食食品に該当する朝食食品、その朝食食品のキャッシュバック金額、還元率がスマートフォン１１Ａのタッチパネル１５に表示（出力）されることで、キャッシュバックを受けることができる朝食食品やその朝食食品のキャッシュバック金額、還元率を知ることができる。
【００８０】
管理サーバ１４は、キャッシュバック朝食食品に該当する朝食食品、その朝食食品のキャッシュバック金額、朝食食品を購入または朝食食品を食した店舗の店舗名、朝食食品を購入した購入日時または朝食食品を食した食事日時をスマートフォン１１Ａの携帯端末特定情報（携帯端末特定識別子）、キャッシュバック朝食食品特定情報（キャッシュバック朝食食品特定識別子）、店舗特定情報（店舗特定識別子）、法人特定情報（法人特定識別子）、勤務者特定情報（勤務者特定識別子）に関連付けた状態で大容量記憶領域に記憶（格納）する（キャッシュバック朝食食品記憶手段）。キャッシュバック朝食食品に該当する朝食食品、その朝食食品のキャッシュバック金額、朝食食品を購入または朝食食品を食した店舗の店舗名、朝食食品を購入した購入日時または朝食食品を食した食事日時は、各多機能携帯端末毎に区分されるとともに各法人毎に区分されて記憶（格納）される。
【００８１】
管理サーバ１４は、勤務者特定情報（勤務者特定識別子）および法人特定情報（法人特定識別子）によってスマートフォン１１Ａを所持する勤務者の法人を特定し、キャッシュバック朝食食品記憶手段によって記憶したキャッシュバック朝食食品に該当する朝食食品、その朝食食品のキャッシュバック金額（還元率を含む）、朝食食品を購入または朝食食品を食した店舗の店舗名、朝食食品を購入した購入日時または朝食食品を食した食事日時、スマートフォン１１Ａの携帯端末特定情報（携帯端末特定識別子）、キャッシュバック朝食食品特定情報（キャッシュバック朝食食品特定識別子）、店舗特定情報（店舗特定識別子）、法人特定情報（法人特定識別子）、勤務者特定情報（勤務者特定識別子）を法人特定情報によって特定された法人の法人サーバ１４Ｂに送信する（キャッシュバック朝食食品送信手段）。
【００８２】
法人サーバ１４Ｂは、管理サーバ１４から送信されたキャッシュバック朝食食品に該当する朝食食品、その朝食食品のキャッシュバック金額（還元率を含む）、朝食食品を購入または朝食食品を食した店舗の店舗名、朝食食品を購入した購入日時または朝食食品を食した食事日時をスマートフォン１１Ａの携帯端末特定情報（携帯端末特定識別子）、キャッシュバック朝食食品特定情報（キャッシュバック朝食食品特定識別子）、店舗特定情報（店舗特定識別子）、法人特定情報（法人特定識別子）、勤務者特定情報（勤務者特定識別子）に関連付けた状態で大容量記憶領域に記憶（格納）する（キャッシュバック朝食食品記憶手段）。法人は、月末や締め日等の所定の支払日に勤務者にそれら朝食食品のキャッシュバック合計金額を支払う。
【００８３】
朝食金額管理システム１０は、キャッシュバック朝食食品に該当する朝食食品を購入した店舗の店舗名または朝食食品を食した店舗の店舗名を法人サーバ１４Ｂに送信することで、勤務者が朝食食品を購入する店舗名や勤務者が朝食食品を食する店舗名を法人が知ることができ、キャッシュバック朝食食品の設定や設定解除の判断材料にすることができる。
【００８４】
朝食金額管理システム１０は、所定の店舗において勤務者が朝食を購入した後または勤務者が朝食を食した後にその店舗のキャッシュレジスターから発行された朝食食品および朝食食品の金額を含むレシートをスマートフォン１１Ａ（多機能携帯端末）によって撮影し、撮影されたレシートのレシート画像を管理サーバ１４Ａに送信し、管理サーバ１４Ａがスマートフォン１１Ａ（多機能携帯端末）から送信されたレシート画像に含まれる朝食食品と勤務者にキャッシュバックするとして事前に設定されたキャッシュバック朝食食品とを比較し、朝食食品とキャッシュバック朝食食品とを比較した結果、朝食食品の中にキャッシュバック朝食食品が含まれる場合、キャッシュバック朝食食品に該当する朝食食品および朝食食品のキャッシュバック金額を各法人の法人サーバ１４Ｂに送信するから、法人サーバ１４Ｂによってキャッシュバック朝食食品に該当する朝食食品および朝食食品のキャッシュバック金額を受信した法人がキャッシュバック朝食食品に該当する朝食食品のキャッシュバック金額を勤務者にキャッシュバックすることができ、法人の勤務者が購入した朝食食品の金額や勤務者が食した朝食食品の金額を法人から受け取ることができる。
【００８５】
朝食金額管理システム１０は、所定の店舗において勤務者が朝食を購入した後または勤務者が朝食を食した後にその店舗のキャッシュレジスターから送信された朝食食品および朝食食品の金額を含む電子レシートをスマートフォン１１Ａ（多機能携帯端末）が受信し、受信した電子レシートを管理サーバ１４Ａに送信し、管理サーバ１４Ａがスマートフォン１１Ａ（多機能携帯端末）から送信された電子レシートに含まれる朝食食品と勤務者にキャッシュバックするとして事前に設定されたキャッシュバック朝食食品とを比較し、記朝食食品とキャッシュバック朝食食品とを比較した結果、朝食食品の中にキャッシュバック朝食食品が含まれる場合、キャッシュバック朝食食品に該当する朝食食品および朝食食品のキャッシュバック金額を各法人の法人サーバ１４Ｂに送信するから、法人サーバ１４Ｂによってキャッシュバック朝食食品に該当する朝食食品および朝食食品のキャッシュバック金額を受信した法人がキャッシュバック朝食食品に該当する朝食食品のキャッシュバック金額を勤務者にキャッシュバックすることができ、法人の勤務者が購入した朝食食品の金額や勤務者が食した朝食食品の金額を法人から受け取ることができる。
【００８６】
朝食金額管理システム１０は、購入した朝食食品のキャッシュバック金額や食した朝食食品のキャッシュバック金額を勤務者が法人から受け取ることで、勤務者の朝食にかかる金銭的な負担を軽減することができ、法人の勤務者に金銭的な負担をかけることなく勤務者が朝食を食すことができる。朝食金額管理システム１０は、勤務者に金銭的な負担をかけることなく勤務者が朝食を食すことができるから、法人の勤務者に必要な時間に朝食を食すことを意識付けすることができ、朝食の摂取を促進することができるとともに、勤務者に朝食を食すことのメリットを享受させることができる。朝食金額管理システム１０は、勤務者に朝食を摂る習慣を身に付かせることで、勤務者を朝型生活に移行させることができ、朝型生活を奨励することで、勤務者が朝から仕事を効率よく処理するように仕向けることができる。
【００８７】
管理サーバ１４は、レシート画像から読み取った朝食食品と大容量記憶領域に記憶したキャッシュバック朝食食品とを比較した結果、朝食食品の中にキャッシュバック朝食食品が含まれていない場合、図示はしていないが、キャッシュバック不可メッセージをスマートフォン１１Ａのタッチパネル１５に出力（表示）する（キャッシュバック不可メッセージ出力手段）。勤務者は、キャッシュバック不可メッセージを見ることで、購入した朝食食品または食した朝食食品にキャッシュバック朝食食品に該当する朝食食品が含まれていないことを知ることができ、購入または食した朝食に対してキャッシュバックを受けることができないことを知ることができる。なお、スマートフォン１１Ａのタッチパネル１５にキャッシュバック不可メッセージを表示しない場合もある。
【００８８】
管理サーバ１４は、レシート画像から読み取った朝食食品を購入した購入日時または朝食食品を食した食事日時と大容量記憶領域に記憶したキャッシュバック朝食食品に該当する朝食食品を購入した購入日時または朝食食品を食した食事日時とを比較した結果、レシート画像に含まれる購入日時または食事日時と記憶した購入日時または食事日時とが一致した場合、図示はしていないが、レシート重複メッセージをスマートフォン１１Ａのタッチパネル１５に出力（表示）する（レシート重複メッセージ出力手段）。勤務者は、レシート重複メッセージを見ることで、レシートの二重申請（請求）を知ることができる。なお、スマートフォン１１Ａのタッチパネル１５にレシート重複メッセージを表示しない場合もある
【００８９】
朝食金額管理システム１０は、レシート画像または電子レシートに含まれる購入日時または食事日時と記憶した購入日時または食事日時とが一致した場合、重複したレシート画像または電子レシートがスマートフォン１１Ａ（多機能携帯端末）から管理サーバ１４Ａに送信されたことになるが、この場合、レシート重複メッセージをスマートフォン１１Ａのタッチパネル１５に出力（表示）するから、朝食食品の金額の勤務者への二重のキャッシュバックを防ぐことができ、各勤務者の朝食にかかる金銭的な負担を公平に軽減することができる。
【００９０】
管理サーバ１４は、レシート画像から読み取った購入日時または食事日時と事前に設定された朝食時間とを比較した結果、レシート画像に含まれる購入日時または食事日時が朝食時間外の場合、図示はしていないが、レシート不可メッセージをスマートフォン１１Ａのタッチパネル１５に出力（表示）する（レシート不可メッセージ出力手段）。勤務者は、レシート不可メッセージを見ることで、購入日時または食事日時が朝食時間外であることを知ることができ、購入または食した朝食に対してキャッシュバックを受けることができないことを知ることができる。なお、スマートフォン１１Ａのタッチパネル１５にレシート不可メッセージを表示しない場合もある。
【００９１】
朝食金額管理システム１０は、購入日時または食事日時が朝食時間から外れている場合、朝食時間以外に食品が購入または食品が食されたことになるが、この場合、レシート不可メッセージをスマートフォン１１Ａ（多機能携帯端末）のタッチパネル１５に出力するから、朝食時間以外に購入または食された食品のキャッシュバックを防ぐことができ、各勤務者の朝食にかかる金銭的な負担を公平に軽減することができる。
【００９２】
図９は、朝食金額管理サイトの検索入力画面の一例を示す図であり、図１０は、朝食金額管理サイトの店舗名検索結果表示画面の一例を示す図である。図１１は、朝食金額管理サイトの店舗詳細検索結果表示画面の一例を示す図であり、図１２は、朝食金額管理サイトの朝食食品検索結果表示画面の一例を示す図である。図１３は、朝食金額管理サイトの朝食食品詳細検索結果表示画面の一例を示す図である。
【００９３】
朝食金額管理システム１０では、勤務者が朝食を購入または朝食を食する前に、キャッシュバック朝食を購入または食することができる店舗をスマートフォン１１Ａによって検索することができ（店舗名検索手段）、スマートフォン１１Ａによって各種複数のキャッシュバック朝食とそれらキャッシュバック朝食食品のキャッシュバック金額（還元率を含む）とを検索することができる（キャッシュバック朝食食品検索手段）。
【００９４】
キャッシュバック朝食を購入または食することができる店舗やその店舗のキャッシュバック朝食、キャッシュバック朝食のキャッシュバック金額を検索するには、図３のメニュー画面に表示された［検索］ボタンをタップする。［検索］ボタンをタップすると、図９に示す検索画面がスマートフォン１１Ａのタッチパネルに表示される。図９の検索画面には、［店舗名検索］ボタン９ａ、［キャッシュバック朝食食品検索］ボタン９ｂ、［ログアウト］ボタン９ｃが表示される。
【００９５】
キャッシュバック朝食を購入または食することができる店舗を検索するには、図９の検索画面に表示された［店舗名検索］ボタン９ａをタップする。勤務者が［店舗名検索］ボタン９ａをタップすると、管理サーバ１４Ａは、店舗名記憶手段によって記憶したそれらキャッシュバック朝食食品を購入可能な店舗（コンビニエンスストアやドラッグストア、スーパー、デパート、フードショップ等）、それらキャッシュバック朝食食品を食することが可能な店舗（外食チェーン店や立ち食い店、個別飲食店等）の店舗名を大容量記憶領域から抽出し、抽出した店舗名をスマートフォン１１Ａのタッチパネル１５に出力（表示）する（検索店舗出力手段）。
【００９６】
スマートフォン１１Ａのタッチパネルには、図１０に示す店舗名検索結果表示画面が表示される。図１０の店舗名検索結果表示画面には、複数の店舗名を表示した店舗名表示エリア１０ａ、［店舗詳細］ボタン１０ｂ、［戻る］ボタン１０ｃ、［メニュー］ボタン１０ｄ、［ログアウト］ボタン１０ｅが表示される。勤務者が店舗名表示エリア１０ａに表示された複数の店舗名から特定の店舗を選択し（特定の店舗を反転させ）、［店舗詳細］ボタン１０ｂをタップすると、管理サーバ１４Ａは、特定された店舗の詳細（店舗の住所、店舗のＵＲＬ、店舗のメールアドレス、店舗の電話番号、店舗の地図情報、店舗において購入または食することができるキャッシュバック朝食食品、それらキャッシュバック朝食食品の金額、還元率）を大容量記憶領域から抽出し、抽出した店舗の詳細をスマートフォン１１Ａのタッチパネル１５に出力（表示）する（検索店舗出力手段）。
【００９７】
スマートフォン１１Ａのタッチパネル１５には、図１１に示す店舗詳細検索結果表示画面が表示される。図１１の店舗詳細検索結果表示画面には、特定された店舗名を表示した店舗名表示エリア１１ａ、その店舗の住所を表示した住所表示エリア１１ｂ、その店舗のＵＲＬを表示したＵＲＬ表示エリア１１ｃ、その店舗のメールアドレスを表示したメールアドレス表示エリア１１ｄ、その店舗の電話番号を表示した電話番号表示エリア１１ｅ、その店舗の地図情報を表示した地図情報表示エリア、店舗において購入または食することができるキャッシュバック朝食食品およびそれらキャッシュバック朝食食品の金額（還元率を含む）を表示したキャッシュバック朝食食品表示エリア１１ｇ、［戻る］ボタン１１ｈ、［メニュー］ボタン１１ｉ、［ログアウト］ボタン１１ｊが表示される。
【００９８】
朝食金額管理システム１０は、スマートフォン１１Ａ（多機能携帯端末）によって店舗名が検索された場合、キャッシュバック朝食食品を購入可能またはキャッシュバック朝食食品を食することが可能な各種複数の店舗の店舗名やその詳細をスマートフォン１１Ａのタッチパネル１５に出力するから、勤務者がキャッシュバック朝食食品を購入可能またはキャッシュバック朝食食品を食することが可能な店舗を知ることができ、法人の勤務者に必要な時間に朝食を食すことを意識付けすることができるとともに、所定の店舗における朝食の摂取を促進することができる。
【００９９】
各種複数のキャッシュバック朝食とそれらキャッシュバック朝食食品のキャッシュバック金額とを検索するには、図９の検索画面に表示された［キャッシュバック朝食食品検索］ボタンをタップする。勤務者が［キャッシュバック朝食食品検索］ボタンをタップすると、管理サーバ１４Ａは、キャッシュバック対象朝食食品記憶手段によって記憶した各種複数のキャッシュバック朝食食品、それらキャッシュバック朝食食品の各キャッシュバック金額（還元率を含む）を大容量記憶領域から抽出し、抽出したキャッシュバック朝食食品、キャッシュバック朝食食品のキャッシュバック金額をスマートフォン１１Ａのタッチパネル１５に出力（表示）する（検索食品出力手段）。
【０１００】
スマートフォン１１Ａのタッチパネル１５には、図１２に示す朝食食品検索結果表示画面が表示される。図１２の朝食食品検索結果表示画面には、各種複数のキャッシュバック朝食食品（食品名、食品画像）、キャッシュバック朝食食品のキャッシュバック金額（還元率を含む）を表示したキャッシュバック朝食食品表示エリア１２ａ、［食品詳細］ボタン１２ｂ、［戻る］ボタン１２ｃ、［メニュー］ボタン１２ｄ、［ログアウト］ボタン１２ｅが表示される。勤務者がタッチパネル１５の朝食食品表示エリア１２ａをスクロールすることで、各種複数のキャッシュバック朝食食品（食品名、食品画像）がタッチパネル１５に表示される。
【０１０１】
勤務者がキャッシュバック朝食食品表示エリア１２ａに表示された各種複数のキャッシュバック朝食食品から特定のキャッシュバック朝食食品を選択し（特定のキャッシュバック朝食食品を反転させ）、［食品詳細］ボタン１２ｂをタップすると、管理サーバ１４Ａは、特定されたキャッシュバック朝食食品の詳細（特定されたキャッシュバック朝食食品の朝食食品名、キャッシュバック金額、特定されたキャッシュバック朝食食品を購入または食することができる店舗の店舗名、その店舗の住所、その店舗のＵＲＬ、その店舗のメールアドレス、その店舗の電話番号、その店舗の地図情報、その店舗において購入または食することができるキャッシュバック朝食食品、それらキャッシュバック朝食食品の金額）を大容量記憶領域から抽出し、抽出したキャッシュバック朝食食品の詳細をスマートフォン１１Ａのタッチパネル１５に出力（表示）する（検索食品出力手段）。
【０１０２】
スマートフォン１１Ａのタッチパネルには、図１３に示す朝食食品詳細検索結果表示画面が表示される。図１３の朝食食品詳細検索結果表示画面には、特定されたキャッシュバック朝食食品の朝食食品名を表示した朝食食品名表示エリア１３ａ、キャッシュバック金額（還元率を含む）を表示したキャッシュバック金額表示エリア１３ｂ、特定されたキャッシュバック朝食食品を購入または食することができる店舗の店舗名を表示した店舗名表示エリア１３ｃ、その店舗の住所を表示した住所表紙エリア１３ｄ、その店舗のＵＲＬを表示したＵＲＬ表示エリア１３ｅ、その店舗のメールアドレスを表示したメールアドレス表示エリア１３ｆ、その店舗の電話番号を表示した電話番号表示エリア１３ｇ、その店舗の地図情報を表示した地図情報表示エリア１３ｈ、その店舗において購入または食することができる他のキャッシュバック朝食食品およびそれらキャッシュバック朝食食品の金額（還元率を含む）を表示したキャッシュバック朝食食品表示エリア１３ｉ、［戻る］ボタン１３ｊ、［メニュー］ボタン１３ｋ、［ログアウト］ボタン１３ｌが表示される。
【０１０３】
朝食金額管理システム１０は、スマートフォン１１Ａ（多機能携帯端末）によってキャッシュバック朝食食品とキャッシュバック朝食食品のキャッシュバック金額とが検索された場合、各種複数のキャッシュバック朝食食品とそれらキャッシュバック朝食食品のキャッシュバック金額（還元率を含む）とをスマートフォン１１Ａのタッチパネル１５に出力するから、勤務者が各種複数のキャッシュバック朝食食品を知ることができ、それらキャッシュバック朝食食品のキャッシュバック金額や還元率を知ることができるから、法人の勤務者に必要な時間に朝食を食すことを意識付けすることができ、朝食の摂取を促進することができる。
【０１０４】
図１４は、朝食金額管理サイトのキャッシュバック朝食食品表示画面の一例を示す図であり、図１５は、朝食金額管理サイトの累計キャッシュバック金額表示画面の一例を示す図である。図１６は、朝食金額管理サイトのキャッシュバック朝食食品累計購入数表示画面の一例を示す図である。朝食金額管理システム１０では、勤務者がこれまでに購入または食した利用済みのキャッシュバック朝食食品をスマートフォン１１Ａに出力（表示）することができ（利用済みキャッシュバック朝食食品出力手段）、勤務者がこれまでに購入または食した利用済みのキャッシュバック朝食食品のキャッシュバック金額をスマートフォン１１Ａに出力（表示）することができる（利用済みキャッシュバック金額出力手段）。
【０１０５】
これまでに購入または食した利用済みのキャッシュバック朝食食品およびそれらキャッシュバック朝食食品のキャッシュバック金額をスマートフォン１１Ａのタッチパネル１５に出力（表示）するには、図３のメニュー画面に表示された［キャッシュバック朝食食品表示］ボタンをタップする。［キャッシュバック朝食食品表示］ボタンをタップすると、管理サーバ１４Ａは、スマートフォン１１Ａの携帯端末特定情報（携帯端末特定識別子）からスマートフォン１１Ａを特定するとともに、スマートフォン１１Ａから申請されたキャッシュバック朝食食品（購入年月日および購入時間を含む）、それらキャッシュバック朝食食品のキャッシュバック金額、購入店舗名を大容量記憶領域から抽出し、抽出したキャッシュバック朝食食品（購入年月日および購入時間を含む）、それらキャッシュバック朝食食品のキャッシュバック金額（還元率を含む）、購入店舗名をスマートフォン１１Ａのタッチパネル１５に出力（表示）する（利用済みキャッシュバック朝食食品出力手段、利用済みキャッシュバック金額出力手段）。
【０１０６】
スマートフォン１１Ａのタッチパネル１５には、図１４に示すキャッシュバック朝食食品表示画面が表示される。図１４のキャッシュバック朝食食品表示画面には、これまでに購入または食したキャッシュバック朝食食品（購入年月日および購入時間を含む）およびそれらキャッシュバック朝食食品のキャッシュバック金額（還元率を含む）並びに店舗名を表示したキャッシュバック朝食食品表示エリア１４ａ、［累計キャッシュバック金額表示］ボタン１４ｂ、［キャッシュバック朝食食品累計購入数表示］ボタン１４ｃ、［メニュー］ボタン１４ｄ、［ログアウト］ボタン１４ｅが表示される。
【０１０７】
朝食金額管理システム１０は、勤務者が購入した朝食食品または勤務者が食した利用済みのキャッシュバック朝食食品およびそれらキャッシュバック朝食食品のキャッシュバック金額（還元率を含む）をスマートフォン１１Ａ（多機能携帯端末）のタッチパネル１５に出力することで、法人の勤務者が既に利用済みのキャッシュバック朝食食品の種類やそれらキャッシュバック朝食食品のキャッシュバック金額、還元率を知ることができ、それらキャッシュバック朝食食品に対して金銭的な援助を受けたことを知らせることができるとともに、勤務者に朝食摂取を奨励することができる。
【０１０８】
これまでに購入または食した利用済みのキャッシュバック朝食食品のキャッシュバック金額の累計キャッシュバック金額をスマートフォン１１Ａのタッチパネル１５に出力（表示）するには、図１４のキャッシュバック朝食食品表示画面に表示された［累計キャッシュバック金額表示］ボタン１４ｂをタップする。［累計キャッシュバック金額表示］ボタン１４ｂをタップすると、図示はしていないが、累計金額算出期間入力画面がスマートフォン１１Ａのタッチパネル１５に出力（表示）される。累計金額算出期間入力画面には、累計金額算出期間入力エリア、［累計金額表示］ボタン、［クリア］ボタン、［戻る］ボタン、［メニュー］ボタン、［ログアウト］ボタンが表示される。
【０１０９】
勤務者は、累計金額算出期間入力エリアに累計金額算出期間（例えば、１ヶ月間や半年間、１年間、全期間等）を入力した後、［累計金額表示］ボタンをタップする。［累計金額表示］ボタンをタップすると、管理サーバ１４Ａは、スマートフォン１１Ａの携帯端末特定情報（携帯端末特定識別子）からスマートフォン１１Ａを特定するとともに、スマートフォン１１Ａから申請された利用済みキャッシュバック朝食食品のキャッシュバック金額を大容量記憶領域から抽出しつつ、指定された期間におけるそれらキャッシュバック朝食食品のキャッシュバック金額を合算して累計キャッシュバック金額を算出する（累計キャッシュバック金額算出手段）。管理サーバ１４Ａは、累計キャッシュバック金額算出手段によって算出した指定期間における累計キャッシュバック金額をスマートフォン１１Ａのタッチパネル１５に出力（表示）する（累計キャッシュバック金額出力手段）。
【０１１０】
スマートフォン１１Ａのタッチパネル１５には、図１５に示す累計キャッシュバック金額表示画面が表示される。図１５の累計キャッシュバック金額表示画面には、これまでに購入または食したキャッシュバック朝食食品（購入年月日および購入時間を含む）およびそれらキャッシュバック朝食食品のキャッシュバック金額（還元率を含む）並びに店舗名を表示したキャッシュバック朝食食品表示エリア１５ａ、それらキャッシュバック朝食食品のキャッシュバック金額の所定期間における累計（合計）を表示した累計キャッシュバック金額表示エリア１５ｂ、累計金額の算出期間を表示した累計金額算出期間エリア１５ｃ、［戻る］ボタン１５ｄ、［メニュー］ボタン１５ｅ、［ログアウト］ボタン１５ｆが表示される。
【０１１１】
朝食金額管理システム１０は、勤務者が購入した朝食食品または勤務者が食した利用済みのそれらキャッシュバック朝食食品の所定期間における累計キャッシュバック金額をスマートフォン１１Ａ（多機能携帯端末）のタッチパネル１５に出力することで、法人の勤務者が既に利用済みのそれらキャッシュバック朝食食品の所定期間における累計キャッシュバック金額を知ることができ、それらキャッシュバック朝食食品に対して金銭的な援助を受けたことを知らせることができるとともに、勤務者に朝食摂取を奨励することができる。
【０１１２】
これまでに購入または食した利用済みのそれらキャッシュバック朝食食品のキャッシュバックの累計購入数をスマートフォン１１Ａのタッチパネルに出力（表示）するには、図１４のキャッシュバック朝食食品表示画面に表示された［キャッシュバック朝食食品累計購入数表示］ボタン１４ｃをタップする。［キャッシュバック朝食食品累計購入数表示］ボタン１４ｃをタップすると、図示はしていないが、累計購入数算出期間入力画面がスマートフォン１１Ａのタッチパネル１５に出力（表示）される。累計購入数算出期間入力画面には、累計購入数算出期間入力エリア、［累計購入数表示］ボタン、［クリア］ボタン、［戻る］ボタン、［メニュー］ボタン、［ログアウト］ボタンが表示される。
【０１１３】
勤務者は、累計購入数算出期間入力エリアに累計購入数算出期間（例えば、１ヶ月間や半年間、１年間、全期間等）を入力した後、［累計購入数表示］ボタンをタップする。［累計購入数表示］ボタンをタップすると、管理サーバ１４Ａは、スマートフォン１１Ａの携帯端末特定情報（携帯端末特定識別子）からスマートフォン１１Ａを特定するとともに、スマートフォン１１Ａから申請された利用済みキャッシュバック朝食食品を大容量記憶領域から抽出しつつ、指定された期間におけるそれらキャッシュバック朝食食品の購入数を合算して累計購入数を算出する（朝食食品累計購入数算出手段）。管理サーバ１４Ａは、朝食食品累計購入数算出手段によって算出した指定期間におけるキャッシュバック朝食食品の累計購入数をスマートフォン１１Ａのタッチパネル１５に出力（表示）する（朝食食品累計購入数出力手段）。
【０１１４】
スマートフォン１１Ａのタッチパネル１５には、図１６に示す累計購入数表示画面が表示される。図１６の累計購入数表示画面には、これまでに購入または食したキャッシュバック朝食食品（購入年月日および購入時間を含む）およびそれらキャッシュバック朝食食品のキャッシュバック金額（還元率を含む）並びに店舗名を表示したキャッシュバック朝食食品表示エリア１６ａ、それらキャッシュバック朝食食品の購入数の所定期間における累計（合計）を表示した累計購入数表示エリア１６ｂ、累計購入数の算出期間を表示した累計購入数算出期間エリア１６ｃ、［戻る］ボタン１６ｄ、［メニュー］ボタン１６ｅ、［ログアウト］ボタン１６ｆが表示される。
【０１１５】
朝食金額管理システム１０は、勤務者が購入した朝食食品または勤務者が食した利用済みのそれらキャッシュバック朝食食品の所定期間における累計購入数をスマートフォン１１Ａ（多機能携帯端末）のタッチパネル１５に出力することで、法人の勤務者が既に利用済みのそれらキャッシュバック朝食食品の所定期間における累計購入数を知ることができ、それらキャッシュバック朝食食品に対する累計購入数分の金銭的な援助を受けたことを知らせることができるとともに、勤務者に朝食摂取を奨励することができる。
【符号の説明】
【０１１６】
１０    朝食金額管理システム
１１Ａ〜１１Ｃ  スマートフォン（多機能携帯端末）
１２Ａ〜１２Ｃ  タブレット（多機能携帯端末）
１３    インターネット
１４Ａ  管理サーバ
１４Ｂ  法人サーバ
１５    タッチパネル
【図１】
2020013322.tif 000003
【図２】
2020013322.tif 000004
【図３】
2020013322.tif 000005
【図４】
2020013322.tif 000006
【図５】
2020013322.tif 000007
【図６】
2020013322.tif 000008
【図７】
2020013322.tif 000009
【図８】
2020013322.tif 000010
【図９】
2020013322.tif 000011
【図１０】
2020013322.tif 000012
【図１１】
2020013322.tif 000013
【図１２】
2020013322.tif 000014
【図１３】
2020013322.tif 000015
【図１４】
2020013322.tif 000016
【図１５】
2020013322.tif 000017
【図１６】
2020013322.tif 000018